(57)【特許請求の範囲】
【請求項１】
生物学的試料中の標的の一つまたは複数のアナライトのアッセイのためのマイクロ流体カートリッジであって、前記マイクロ流体カートリッジは、
（ａ）プラスチックの熱絶縁性カートリッジ本体であって、
（ｉ）試料入口と、１つ以上の基板上のアッセイのための液体または乾燥試薬と、前記試料入口に流体接続され下流の排気口で排気される液圧チャンネルおよび液圧チャンバーを備える浸潤可能な下流のマイクロ流体サブ回路とを含む、液圧ワーク、ならびに
（ｉｉ）空圧圧力を受け取る１つまたは複数の入り口と、空圧サブ回路であって、前記空圧圧力を前記空圧サブ回路から伝えるための空圧チャンネルおよび空圧チャンバーを備える空圧サブ回路とを含む空圧ワーク、
を含む、本体と、
（ｂ）液体を前記液圧ワークのマイクロ流体サブ回路中に分配するための試薬貯蔵器であって、前記試薬貯蔵器が、
（ｉ）前記空圧ワークの空圧チャンバーと前記液圧ワークの液圧チャンバーとを密封的に分離する二重層空圧液圧ダイアフラムであって、前記二重層ダイアフラムは、前記空圧ワークに面する第１の側と、前記液圧ワークに面する第２の側とを有し、第１層はその前記第１の側を形成し、第２層はその前記第２の側を形成し、前記第１層および第２層がそれらの間に前記液体を閉じ込める、二重層空圧液圧ダイアフラムと、
（ｉｉ）前記液体を受け取って前記浸潤可能な下流のマイクロ流体サブ回路に送るための流体出口と、
（ｉｉｉ）前記液圧チャンバー中に配置された針であって、前記二重層ダイアフラムが、前記ダイアフラムに圧力差を加えることによって、前記針に接触するように動かされるとき、前記針が前記第２層を破裂させ、前記液体を前記液圧ワーク中に放出するように構成された針と、
を備える、試薬貯蔵器と、
（ｃ）複数のチャンバーを有する輸送マニホルドであって、前記複数のチャンバーの各前記チャンバーが、それらの間に密封的に搭載された弾性のエネルギー保存空圧液圧ダイアフラムによって液圧チャンバーと空圧チャンバーに分離され、前記空圧チャンバーが大気へと排気されて、入口を通って直列または並列に各前記液圧チャンバー中に入る液体容積が、その排除容積に比例する等圧力に従って各前記エネルギー保存空圧液圧ダイアフラムを膨張させるようにし、前記入口が、充填が完了した後、前記輸送マニホルド全体で前記液圧圧力を平衡化するためにバルブで閉鎖可能である、輸送マニホルドと、
（ｄ）並列の排気口付きの複数の下流のチャンネルであって、前記複数のチャンネルのうちの少なくとも１つの前記チャンネルが、前記輸送マニホルドの前記液圧チャンバーのうちの少なくとも１つと流体連絡し、各前記排気口付きの下流のチャンネルが、充填および加圧の間に閉鎖し、排出および減圧の間に開くように構成されたバルブを有し、それによって膨張状態における前記弾性空圧液圧ダイアフラムの前記液圧圧力が、前記並列の排気口付きの複数の下流のチャンネルの初期浸潤の間にメニスカスを前進させる仕事に受動的に変換される、並列の排気口付きの複数の下流のチャンネルと、
を備え、
前記液圧チャンバーおよび液圧ダイアフラムは、アッセイにおける、浸潤、充填、送液、または再水和のステップの間、気泡混入または試薬流出を、防止または低減するように構成され、
前記液圧ワークが、ホスト機器の傾斜した台上の基面に対して１０〜３５度の傾斜角度θで搭載されるときに作動するように構成され、少なくとも１つの液圧チャンバーが、前記チャンバーから気体を排気し、または気泡を排出するように前記チャンバーに対して上方に配置された出口および相互連絡チャンネルとともに構成される、マイクロ流体カートリッジ。
【請求項２】
前記液圧ワークが、前記試料入口に流体接続され、１つ以上の下流の排気口で排気されるチャンネルおよびチャンバーを備える複数の浸潤可能な下流のマイクロ流体サブ回路を含み、前記複数の浸潤可能なマイクロ流体サブ回路が各々並列にアッセイを行うように構成され、前記浸潤可能なマイクロ流体サブ回路の各々には分離した検出チャンバーが設けられる、請求項１に記載のマイクロ流体カートリッジ。
【請求項３】
前記マイクロ流体カートリッジが、液圧チャンバーおよび検出チャンバーを含む、複数の下流の浸潤可能なマイクロ流体サブ回路を含み、前記下流の浸潤可能なマイクロ流体サブ回路の各々が、弾性の受動的に運転される空圧液圧ダイアフラムを含み、前記弾性の受動的に運転される空圧液圧ダイアフラムの各々が、前記下流の浸潤可能なマイクロ流体サブ回路の各々を目標まで等しく充填するように前記大気へと排気され、そして各前記サブ回路が並列にアッセイを実行するように構成され、各前記サブ回路には分離した検出チャンバーが設けられる、請求項１に記載のマイクロ流体カートリッジ。
【請求項４】
前記空圧液圧ダイアフラムが、ポリウレタンダイアフラム、ポリビニリデンクロリドダイアフラム、ポリオレフィンダイアフラム、ポリエステルダイアフラム、ポリエチレンダイアフラム、ポリエチレンテレフタラートダイアフラム、ナイロンダイアラム、またはその積層または共押し出し組み合わせである、請求項１に記載のマイクロ流体カートリッジ。
【請求項５】
前記各マイクロ流体サブ回路が、液体試薬、乾燥試薬、またはその組み合わせを、液体試料と混合するために設けられた少なくとも１つの反応チャンバーと、標的の１つまたは複数のアナライトを検出する検出手段とインターフェースをとるように構成された少なくとも１つの検出チャンバーとを含む、請求項４に記載のマイクロ流体カートリッジ。
【請求項６】
前記二重層ダイアフラムの前記第１層が破裂抵抗性であり、前記第２層が破裂に感受性である、請求項１に記載のマイクロ流体カートリッジ。
【請求項７】
前記第１層が、破裂抵抗性であるように構成された外側のナイロンベース層を有する積層型ポリマーであり、前記第２層が破裂感受性であるように構成された外側のポリエチレンテレフタラート部材を有する積層型ポリマーである、請求項６に記載のマイクロ流体カートリッジ。
【請求項８】
前記試薬貯蔵器がそれに加えられた空圧圧力の連続的なパルスの作用によって液体を連続的に放出するように構成される、請求項１に記載のマイクロ流体カートリッジ。
【請求項９】
前記液体が、液体反応体、緩衝剤、再水和流体、または希釈剤を含み、前記液体が、下流のチャンバーまたはチャンネルに配設された乾燥試薬の再水和、固相の洗浄、固相基質からの標的の１つまたは複数のアナライトの溶離、希釈液の作製、クロマトグラフ分離の実施、反応の開始または停止、または前記標的の１つまたは複数のアナライトの検出から選択されるアッセイステップのためのものである、請求項６〜８のいずれか一項に記載のマイクロ流体カートリッジ。
【請求項１０】
前記液体が脱気され、そして前記二重層ダイアフラムが気体不透過性である、請求項９に記載のマイクロ流体カートリッジ。
【請求項１１】
請求項１に記載のマイクロ流体カートリッジであって、前記マイクロ流体カートリッジは、上流入口および下流の排気口を備える下流の反応チャンバーとして形成された液圧チャンバーを備える少なくとも１つのマイクロ流体サブ回路をさらに含み、前記下流の反応チャンバーは１つまたは複数の乾燥試薬点を含み、前記マイクロ流体カートリッジは、空圧液圧ダイアフラムを含み、前記空圧液圧ダイアフラムが、ヘッド空間の空気を排出し、浸潤の間に前記１つまたは複数の試薬点の周囲および上に一時的な保護カバーを形成するように、前記ダイアフラムが前記チャンバーの床に対して膨張する第１の位置、および前記チャンバーを液体で充填し、気泡混入または試薬流出なしに試薬点を開放して最高強度で溶解するように前記ダイアフラムが前記チャンバーの天井に対して弛緩位置にあるかまたは吸引される第２の位置で作動するように構成される、マイクロ流体カートリッジ。
【請求項１２】
前記乾燥試薬点が、緩衝剤、酵素、補酵素、補因子、ポリメラーゼ、プライマー、分子ビーコン、プローブ、フルオロフォア、脱水酵素、オキシダーゼ、反応体、色原体、基質、抗体、抗原、または対照である、請求項１１に記載のマイクロ流体カートリッジ。
【請求項１３】
請求項１〜１２のいずれか一項に記載のマイクロ流体カートリッジであって、前記マイクロ流体カートリッジが、
第１液圧チャンバーを覆う第１空圧液圧ダイアフラム、および第２液圧チャンバーを覆う第２空圧液圧ダイアフラムであって、ここで、前記第１液圧チャンバーおよび第２液圧チャンバーは流体相互接続チャンネルを有する、第１空圧液圧ダイアフラムおよび第２空圧液圧ダイアフラムと、
第１加熱要素を並置するように構成された前記第１液圧チャンバーの第１熱伝導部および第２加熱要素を並置するように構成された前記第２液圧チャンバーの第２熱伝導部を備える２ゾーンのＰＣＲ熱サイクルのための熱伝導部と
をさらに含み、
前記第１空圧液圧ダイアフラムが、ＰＣＲ増幅中、前記第１液圧チャンバーと第２液圧チャンバーとの間に相互の流体流れを駆動するための空圧手段とともに構成され、
前記相互接続チャンネルが、気泡からの妨害を低減するために１０〜３５度の傾斜角度θで作動されるように構成されることを特徴とする、マイクロ流体カートリッジ。
【請求項１４】
前記第２空圧液圧ダイアフラムが弾性ダイアフラムであり、前記第１空圧液圧ダイアフラムの動きによって受動的に仕事が行われる、請求項１３に記載のマイクロ流体カートリッジ。
【請求項１５】
薄膜光学窓によって第１の対向側および第２対向側に囲われた検出チャンバーをさらに含み、
空気および気泡をその上に上方に配設された排気ポートに排出するように、前記検出チャンバーが１０〜３５度の傾斜角度θで作動されるように構成されることを特徴とする、請求項１〜１４のいずれか一項に記載のマイクロ流体カートリッジ。
【請求項１６】
ホスト機器中で消耗可能に使用するための、請求項１〜１５のいずれか一項に記載の１つ以上の廃棄可能なマイクロ流体カートリッジを含むキットであって、前記マイクロ流体カートリッジが、核酸、プロテイン、抗原、抗体、メタボライト、または酵素に対する少なくとも１つのアッセイを行うための基板上試薬を備える、キット。
【請求項１７】
前記少なくとも１つのアッセイが、気密パッケージ中で不活性雰囲気を備えて実施される、請求項１６に記載のキット。
【請求項１８】
ホスト機器中で消耗品として使用するための、請求項１〜１５のいずれか一項に記載の１つ以上のマイクロ流体カートリッジを含むキットであって、前記マイクロ流体カートリッジが、少なくとも１つの核酸アッセイを行うための基板上試薬を備え、各カートリッジは使用説明書を備えて気密封止ポーチ中に梱包され、使用者は、アッセイされる生物学的液体試料を試料入口ポートに置き、前記マイクロ流体カートリッジを前記ホスト機器中に挿入することだけが必要であり、前記カートリッジは、全てのプライマー、酵素補因子、塩、緩衝剤、ポリメラーゼ、およびバクテリア（Ａｃｉｎｅｔｏｂａｃｔｅｒ  ｂａｕｍａｎｎｉｉ、Ａｃｔｉｎｏｂａｃｉｌｌｕｓ  ｅｑｕｕｌｉ、Ｂａｃｉｌｌｕｓ  ａｎｔｈｒａｃｉｓ、Ｂｒｕｃｅｌｌａ  ｍｅｌｉｔｅｎｓｉｓ、Ｂｒｕｃｅｌｌａ  ａｂｏｒｔｕｓ、Ｂｏｒｄａｔｅｌｌａ  ｐｅｒｔｕｓｓｉｓ、Ｂｏｒｄａｔｅｌｌａ  ｂｒｏｎｃｈｉｏｓｅｐｔｉｃａ、Ｂｕｒｋｈｏｌｄｅｒｉａ  ｐｓｅｕｄｏｍａｌｌｅｉ、Ｃｏｒｙｎｅｂａｃｔｅｒｉｕｍ  ｄｉｐｔｈｅｒｉａｅ、Ｃｏｘｉｅｌｌａ  ｂｕｒｎｅｔｉｉ、Ｅｉｋｅｎｅｌｌａ  ｃｏｒｒｏｄｅｎｓ、Ｅｓｃｈｅｒｉｃｈｉａ  ｃｏｌｉ、Ｆｒａｎｃｉｓｅｌｌａ  ｔｕｌａｒｅｎｓｉｓ、Ｆｒａｎｃｉｓｅｌｌａ  ｎｏｖｉｃｉｄａ、Ｆｕｓｏｂａｃｔｅｒｉｕｍ  ｎｅｃｒｏｐｈｏｒｕｍ、Ｈａｅｍｏｐｈｉｌｕｓ  ｉｎｆｌｕｅｎｚａｅ、Ｋｌｅｂｓｉｅｌｌａ  ｏｘｙｔｏｃａ、Ｋｌｅｂｓｉｅｌｌａ  ｐｎｅｕｍｏｎｉａｅ、Ｋｉｎｇｅｌｌａ  ｄｅｎｉｔｒｉｆｉｃａｎｓ、Ｌｅｇｉｏｎｅｌｌａ  ｐｎｅｕｍｏｐｈｉｌａ、Ｌｉｓｔｅｒｉａ  ｍｏｎｏｃｙｔｏｇｅｎｅｓ、Ｍｏｒａｘｅｌｌａ  ｃａｔａｒｒｈａｌｉｓ、Ｍｙｃｏｂａｃｔｅｒｉｕｍ  ｔｕｂｅｒｃｕｌｏｓｉｓ、Ｍｙｃｏｐｌａｓｍａ  ｐｎｅｕｍｏｎｉａｅ、Ｎｅｉｓｓｅｒｉａ  ｇｏｎｏｒｒｈｏｅａｅ、Ｎｅｉｓｓｅｒｉａ  ｍｅｎｉｎｇｉｔｉｄｅｓ、Ｐａｓｔｅｕｒｅｌｌａ  ｍｕｌｔｏｃｉｄａ、Ｐｒｏｔｅｕｓ  ｖｕｌｇａｒｉｓ、Ｐｒｏｔｅｕｓ  ｍｉｒａｂｉｌｉｓ、Ｐｓｅｕｄｏｍｏｎａｓ  ａｅｒｕｇｉｎｏｓａ、Ｐｓｅｕｄｏｍｏｎａｓ  ｐｕｔｒｅｆａｃｉｅｎｓ、Ｐｓｅｕｄｏｍｏｎａｓ  ｃｅｐａｃｉａ、Ｓａｌｍｏｎｅｌｌａ  ｔｙｐｈｉ、Ｓｈｉｇｅｌｌａ  ｄｙｓｅｎｔｅｒｉａｅ、Ｓｔａｐｈｙｌｏｃｏｃｃｕｓ  ａｕｒｅｕｓ、Ｓｔｒｅｐｔｏｃｏｃｃｕｓ  ｐｙｏｇｅｎｅｓ、Ｓｔｒｅｐｔｏｃｏｃｃｕｓ  ｐｎｅｕｍｏｎｉａｅ、Ｔｒｅｐｏｎｅｍａ  ｐａｌｌｉｄｕｍ、Ｙｅｒｓｉｎｉａ  ｐｅｓｔｉｓ、または  Ｖｉｂｒｉｏ  ｃｈｏｌｅｒａを含む）、リケッチア属（Ｃｈｌａｍｙｄｉａ  ｐｎｅｕｍｏｎｉａｅ、Ｃｈｌａｍｙｄｉａ  ｔｒａｃｈｏｍａｔｉｓ、Ｒｉｃｋｅｔｔｓｉａ  ｐｒｏｗａｚｅｋｉｉ、またはＲｉｃｋｅｔｔｓｉａ  ｔｙｐｈｉを含む）、ウイルス（はしかウイルス、ＨＩＶウイルス、Ｃ型肝炎ウイルス、Ｂ型肝炎ウイルス、デング熱ウイルス、西部ウマ脳炎ウイルス、東部ウマ脳炎ウイルス、ベネズエラウマ脳炎ウイルス、エンテロウイルス、インフルエンザウイルス、トリインフルエンザ、コロナウイルス、ＳＡＲＳコロナウイルス、ポリオウイルス、アデノウイルス、パラインフルエンザウイルス、ハンタウイルス、狂犬病ウイルス、アルゼンチン出血熱ウイルス、マチュポウイルス、サビアウイルス、グアナリトウイルス、コンゴ‐クリミヤ出血熱ウイルス、ラッサ出血熱ウイルス（Ｌａｓｓａ  Ｈｅｍｏｒｒｈａｇｉｃ  Ｆｅｖｅｒ  ｖｉｒｕｓ）、マールブルグウイルス、エボラウイルス、リフトバレー熱ウイルス、キャサヌール森林病ウイルス、オムスク出血熱、黄熱ウイルス、天然痘ウイルス、レトロウイルス、サル痘ウイルス、および足および口疾患ウイルスを含む）、真菌類因子（Ｃｏｃｃｉｄｉｏｄｅｓ  ｉｍｍｉｔｉｓ、Ｃａｎｄｉｄａ  ａｌｂｉｃａｎｓ、Ｃｒｙｐｔｏｃｏｃｃｕｓ  ｎｅｏｆｏｒｍａｎｓ、Ｈｉｓｔｏｐｌａｓｍａ  ｃａｐｓｕｌａｔｕｍ、Ｂｌａｓｔｏｍｙｃｅｓ  ｄｅｒｍａｔｉｔｉｄｉｓ、Ｓｐｏｒｏｔｒｈｉｘ  ｓｃｈｅｎｋｉ、またはＡｓｐｅｒｇｉｌｌｕｓ  ｆｕｍｉｇａｔｅｓを含む）、寄生因子（Ｐｌａｓｍｏｄｉｕｍ  ｆａｌｃｉｐａｒｕｍ、Ｐｌａｓｍｏｄｉｕｍ  ｖｉｖａｘ、Ｐｌａｓｍｏｄｉｕｍ  ｏｖａｌｅ、Ｐｌａｓｍｏｄｉｕｍ  ｍａｌａｒｉａｅ、Ｔｏｘｏｐｌａｓｍａ  ｇｏｎｄｉｉ、Ｐｌａｓｍｏｄｉｕｍ  ｂｅｒｇｅｒｉ、Ｓｃｈｉｓｔｏｓｏｍａ  ｍａｎｓｏｎｉ、Ｓｃｈｉｓｔｏｓｏｍａ  ｈｅｍａｔｏｂｉｕｍ、Ｓｃｈｉｓｔｏｓｏｍａ  ｊａｐｏｎｉｃｕｍ、Ｅｎｔａｍｏｅｂａ  ｈｉｓｔｏｌｙｔｉｃａ、Ｂａｂｅｓｉａ、Ｔｏｘｏｐｌａｓｍａ  ｇｏｎｄｉｉ、Ｔｒｙｐａｎｏｓｏｍａ  ｃｒｕｚｉ、Ｌｅｉｓｈｍａｎｉａ  ｓｓｐ、Ｔｒｙｐａｎｏｓｏｍａ  ｂｒｕｃｅｉ、Ｔｒｉｃｈｉｎｅｌｌａ  ｓｐｉｒａｌｉｓ、Ｔｏｘｏｃａｒａ  ｃａｎｉｓ、Ｎｅｃａｔｏｒ  ａｍｅｒｉｃａｎｕｓ、Ｔｒｉｃｈｕｒｉｓ  ｔｒｉｃｈｕｒａ、Ｅｎｔｅｒｏｂｉｕｓ  ｖｅｒｍｉｃｕｌａｒｉｓ、Ｄｉｐｙｌｉｄｉｕｍ  ｃａｎｉｎｕｍ、Ｅｎｔａｍｏｅｂａ  ｈｉｓｔｏｌｙｔｉｃａ、Ｄｒａｃｕｎｃｕｌｕｓ  ｍｅｄｉｎｅｎｓｉｓ、Ｗｕｃｈｅｒｅｒｉａ  ｂａｎｃｒｏｆｔｉ、Ｂｒｕｇｉａ  ｍａｌａｉ、Ｂｒｕｇｉａ  ｔｉｍｏｒｉ、Ｓｔｒｏｎｇｙｌｏｉｄｅｓ  ｓｔｅｒｃｏｒａｌｉｓ、Ａｓｃａｒｉｓ  ｌｕｍｂｒｉｃｏｉｄｅｓ、Ｏｎｃｈｏｃｅｒｃａ  ｖｏｌｖｕｌｕｓ、Ｎａｅｇｌｅｒｉａ  ｆｏｗｌｅｒｉ、Ｃｌｏｎｏｒｃｈｉｓ  ｓｉｎｅｎｓｉｓ、Ｃｒｙｐｔｏｓｐｏｒｉｄｉｕｍ  ｐａｒｖｕｍ、Ｌｅｉｓｈｍａｎｉａ  ｓｐｐを含む）、抗生物質抵抗性遺伝子、毒性または毒素産生能に関連する遺伝子、分子マーカー、一塩基多型、昆虫遺伝子、蜂疾患因子遺伝子、植物遺伝子、植物疾患試薬、病原性または発癌性条件を有する細胞に関連する分子マーカー、ミトコンドリアヌクレオチド配列、プラスミド配列、メッセンジャーＲＮＡ、リボソームＲＮＡ、または標的核酸のパネル等、に関連する標的核酸（ＤＮＡまたはＲＮＡのいずれか）のための前記液体試料を試験する検出化学品を有する、キット。
【請求項１９】
マイクロ流体カートリッジを浸潤させる方法であって、前記方法は、
（ａ）複数のチャンバーを有する輸送マニホルドであって、各チャンバーは液圧チャンバーおよび空圧チャンバーの間に密封的に搭載された弾性のエネルギー保存空圧液圧ダイアフラムによって前記液圧チャンバーおよび前記空圧チャンバーに分離され、前記空圧チャンバーは、大気へと排気されている、輸送マニホルド；
（ｂ）並列の排気口付きの複数の下流のチャンネルであって、各液圧チャンバーは、前記下流のチャンネルのうちの一つと流体連絡し、各下流のチャンネルはバルブを有する、下流のチャンネル
を含むマイクロ流体カートリッジを提供することを含み、
前記方法は、以下：
（ｃ）前記各液圧チャンバー中の前記弾性の空圧液圧ダイアフラムが拡大して膨張し、それによって複数の前記液圧チャンバー中の液体を等圧で加圧するように、入口を通って前記輸送マニホルドの中へ、そして複数の液圧チャンバーの中へ前記液体を送液する工程、および
（ｄ）各下流のチャンネルバルブを開放し、それによって各下流のチャンネルへ実質的に等しい分量で前記液体を分割する工程
を行うことをさらに含む、方法。
【請求項２０】
乾燥試薬点を含むマイクロ流体カートリッジを浸潤させる方法であって、前記方法は、
（ａ）複数のチャンバーを有する輸送マニホルドであって、各チャンバーは、液圧チャンバーおよび空圧チャンバーの間に密封的に搭載された第一の空圧液圧ダイアフラムによって前記液圧チャンバーおよび前記空圧チャンバーに分離され、前記空圧チャンバーは、大気へと排気されている、輸送マニホルド；
（ｂ）排気口付きの並列の複数の下流のチャンネルであって、各液圧チャンバーは、前記下流のチャンネルのうちの一つと流体連絡し、各下流のチャンネルはバルブを有する、下流のチャンネル；
（ｃ）複数の下流のチャンネルおよび下流の排気口に流体連絡した複数の下流の反応チャンバーであって、前記下流の反応チャンバーは、一つまたは複数の前記乾燥試薬点を含有する、下流の反応チャンバー；
（ｄ）各下流の反応チャンバー内の第２の空圧液圧ダイアフラムであって、前記ダイアフラムが前記下流の反応チャンバーの床に対して膨張する第１の位置、および前記ダイアフラムが前記チャンバーの天井に対して弛緩位置にある第２の位置で作動するように構成された、第２の空圧液圧ダイアフラム；
を含むマイクロ流体カートリッジを提供することを含み、
前記方法は、以下：
（ｅ）各前記液圧チャンバー中の前記第一の空圧液圧ダイアフラムが膨張し、それによって液体を等圧で加圧するように、入口を通って前記複数の液圧チャンバー中へ前記液体を送液すること、
（ｆ）前記第２の空圧液圧ダイアフラムを各下流の反応チャンバー中で加圧し、それによって前記一つまたは複数の試薬スポットの周囲および上部を封止するための一時的な保護カバーを形成し、さらに前記下流の反応チャンバーからヘッド空間の空気を排除すること；
（ｇ）各下流のチャンネルバルブを開放すること；
（ｈ）前記一時的なカバーの周囲の各下流の反応チャンバーを浸潤させ、それによって前記膨張した前記第２の空圧液圧ダイアフラムを弛緩させることによって、前記下流の反応チャンバーからあらゆる残留空気を排除して、前記液体が前進するメニスカスを形成すること、および
（ｉ）前記一時的なカバーを持ち上げて前記液体の残留部分を各下流の反応チャンバー中に運び、それによって気泡の混入または試薬の流出なしに最高強度で前記一つまたは複数の試薬点を溶解すること
を行うことをさらに含む、方法。
【請求項２１】
工程（ｉ）の前に前記下流の反応チャンバーから下流のバルブを閉じることをさらに含む、請求項２０に記載の方法。
【請求項２２】
前記乾燥試薬点が緩衝剤、酵素、補酵素、補因子、ポリメラーゼ、プライマー、分子ビーコン、プローブ、フルオロフォア、脱水酵素、反応体、色原体、基質、抗体、抗原、または対照である、請求項２０または２１に記載の方法。
【請求項２３】
標的の１つまたは複数のアナライトをアッセイするための方法であって、前記方法は、マイクロ流体カートリッジを供給することを含み、
前記マイクロ流体カートリッジは、
（ａ）複数のチャンバーを有する輸送マニホルドであって、各チャンバーは液圧チャンバーおよび空圧チャンバーの間に密封的に搭載された弾性のエネルギー保存空圧液圧ダイアフラムによって前記液圧チャンバーおよび前記空圧チャンバーに分離され、前記空圧チャンバーは、大気へと排気されている、輸送マニホルドと、
（ｂ）並列の排気口付きの複数の下流のチャンネルであって、各液圧チャンバーは、前記下流のチャンネルのうちの一つと流体連絡し、各下流のチャンネルはバルブを有する、下流のチャンネルと、
（ｃ）実質的に気体不透過性である区画に密封的に閉じ込められた基板上液体試薬であって、前記液体試薬が実質的に脱気される、液体試薬と
を含み、前記カートリッジは、前記液体試薬をその中のマイクロ流体ワーク中に分配する手段を含み、前記脱気された液体試薬が混合、送液または加熱に伴う気泡の形成を防止または低減する、方法。
【請求項２４】
前記空圧液圧ダイアフラムが、金属化フィルム層を含む、請求項４に記載のマイクロ流体カートリッジ。
【発明の詳細な説明】
【技術分野】
【０００１】
関連出願への相互参照
本願は、米国特許法第１１９条（ｅ）項の下、２０１０年１月２９日に出願された米国仮特許出願第６１／２９９，５３４号の利益を主張し、この米国仮特許出願はその全体が本明細書中に参考として援用される。
【０００２】
背景
分野
本開示は診断、分子および生物化学アッセイのためのマイクロ流体装置および方法に関し、さらに詳細には、カートリッジ上の試薬貯蔵器から流体を調剤および分配し、送液、加熱および混合し、気泡混入（ｂｕｂｂｌｅ  ｅｎｔｒａｉｎｍｅｎｔ）および試薬流出なしに乾燥試薬を再水和するためのマイクロ流体技術に関する。
【背景技術】
【０００３】
関連技術の説明
マイクロ流体装置は診断アッセイのための手段として用途が拡大してきた。米国特許第５，３０４，４８７号においてＷｉｌｄｉｎｇによって説明された装置は、再使用可能なシリコン基板上に形成された「中規模」チャンネルおよびチャンバーからなり、カートリッジ外の注射器ポンプから流体試薬が注入された。カートリッジ上の流体や試薬貯蔵および送達は考慮されなかった。しかし、実際の市場用途は、「消費可能な」カートリッジ−特定のアッセイまたは一連のアッセイのために必要な全ての試薬を自ら含む廃棄可能で単一使用の「サンプル−回答（ｓａｍｐｌｅ−ｔｏ−ａｎｓｗｅｒ）」型のカートリッジの方向へ導いた。これは、試料の持ち出しまたは取り扱いに伴う汚染を絶対回避しなければならない分子生物アッセイ用途の場合特に真実である。
【０００４】
基板上の試薬は液体および乾燥試薬の形状の両方を含むことができる。それらの両方の試薬の種類は、満足できる製品を実現するためにいくつかの問題を抱えていた。ここで、われわれはカートリッジのチャンネルおよびチャンバーの初期浸潤性および乾燥試薬の再水和に伴う液体取り扱いの課題に対処する。マイクロ流体チャンネルおよびチャンバーを含むカートリッジ、特にプラスチック本体を有するカートリッジの充填および運転中に、液体の浸潤性はしばしば不均一であり、表面に対して前進するメニスカスによる流体カラム中または角部にエアポケットが含まれるのがまれではない。生物試料のポンプ搬送および混合の間に、装置のアッセイ性能に悪影響を与える泡および気泡が形成し得る。気泡は乾燥試薬を含むチャンネルまたはチャンバーの不均一な充填によって発生し得る。試薬再水和、浸潤性および通気は気泡形成の問題に関連している。問題は、例えばＤｕｂｒｏｗの米国特許第６，０６８，７５２号、およびＫｅｎｎｅｄｙの米国特許第６，０８６、７４０号に記載されたより複雑な流体ネットワーク、およびＢｕｅｃｈｌｅｒの米国特許出願第２００５／０１３６５５２号またはＷｙｚｇｏｌの米国特許出願第２００４／０２４０５１号に記載されたキャピラリ流駆動装置において悪化し、これらはプラスチック本体の装置において極めて困難であることが立証された。
【０００５】
気泡は脱気による試料液体の加熱中にも発生し得る。気体の溶解性は温度に逆比例し、加熱された溶液が容易に過飽和することは周知である。脱気による気泡の原因は、マイクロ流体の空洞における機械的なまたは超音波混合などの間に液体が剪断力を受ける空洞である。
【０００６】
気泡はマイクロ流体の「キュベット」中の液体の光学的問いかけを妨害する。光の通路は気泡表面の湾曲および／または光を屈折する気泡によって生じるレンズ効果のため変化し得る。また、気泡は気泡境界の溶質濃度変化、プロテイン構造の変性、バルクの加熱速度および液体中の温度の均一性を変化することによって生物化学反応を妨害し得る。例えば、熱安定性のあるポリメラーゼが標的核酸の複製を増幅するために用いられるＰＣＲ反応において、流体中の気泡の存在は加熱および冷却を不均一にし、プロセスの効率を低下させ感度を制限する。また、気泡の存在は反応チャンバー中の流体の容積を減少させ、１０〜５０μＬ以下のアナライト検出に依存するアッセイにおいて、反応チャンバー中に混入された大きな気泡の存在はアッセイを不可能にすることができる。
【０００７】
速度決定に依存する反応において、気泡は光学的傾斜の決定および基質の適切な入手可能性で反応を開始するために必要な乾燥試薬の均一な急速再水和を劇的に妨害し得る。蛍光プローブ、酵素、緩衝剤または制御アナライトなどのさまざまな乾燥試薬は、マイクロ流体装置のチャンバー内に配置することができ、アッセイの適切な遂行に必要である。浸潤の間に１つ以上の気泡の混入は乾燥試薬と試料の不完全な溶解および混合を招き、それによって反応効率を損ない、試験の感度を低下させる。
【０００８】
特許文献１において、Ｌｅｉは圧力降下を平衡化し、したがって複数の流れ通路を通る流れを平衡化するように、表面張力特徴および／または断面積を用いることによって並列チャンネル中の流れ抵抗を変化させることを提案する。ひとつの例において、不十分な流体洗浄および空気気泡を混入しがちな、流れの再循環の形成または流体の停滞を回避するように、複数の排出チャンネルを用いて井戸からの流体を排出する。しかし、それらの特徴の各々は試行錯誤によって設計しなければならず、したがって、設計は恒久的ではなく、異なるアッセイに容易に適合しない。寸法および表面化学物質の顕微鏡的変化はマイクロ流体回路製造において制御が困難なので、本方法はマイクロ流体カード内のサブ回路間の流れを並列に等しく分割する問題の実際的な解決を実証しなかった。浸潤性を改善する特徴を備えるダイアフラムの使用の説明は提供されなかった。
【０００９】
Ｕｌｍａｎｅｌｌａ（特許文献２）は、例えば、メニスカスがチャンバーの床を横断する際にその先端を遅くし、または停止するエネルギー障壁を設置することによって、または底面上に複数の溝またはポストを使用することによって、または毛管作用を調節するためにチャンバーの深さに彫刻することによって、または注射器ポンプの使用によって、または遠心機によって、またはチャンバーの出口側に真空を用いることによって、チャンバーの底面を物理的に修正することによって、マイクロ流体チャンバーを充填する流体のメニスカスを制御する努力を報告した。これらの方法はいずれも問題の実際的な解決を立証しなかった。毛管作用は極めて予測が困難であり、空気ポケットの形成を促進する傾向があり、従来技術に一般に実施された注射器ポンプの使用または真空の適用は流体に剪断力を与え、抵抗の少ない通路に流体を動かす傾向にあり、問題を悪化させる。例えば、並列の複数の診断アッセイ通路に試料または試薬を分割するために有用な、単一の入口から分岐する２つ以上のマイクロ流体チャンネルが流体に提供される時、流体は浸潤性のある通路を最も容易に充填し、より高い流体抵抗を有する通路を空にし得る。当業者には周知のように、チャンネル間の非常に僅かな差は、単一チャンネルの優先的な浸潤を招き、分岐する並列チャンネルを浸潤させない。
【００１０】
さらにＵｌｍａｎｅｌｌａはマイクロ流体チャンバーの浸潤性における乾燥試薬の効果に取り組み、中央に点在する乾燥試薬を含むチャンバーの充填効率は５０％未満であり、入口側に点在する試薬を有するチャンバーは６５％の浸潤効率であるが、出口側に点在する試薬を有するチャンバーは気泡の無い充填効率が９５％に増加したと結論付けた。しかし、乾燥試薬がチャンバーの下流出口に位置する場合にあり得るように、下流チャンネルに流出することによって試薬の濃度が希釈されないように、チャンバーは試薬が再水和される前に完全に浸潤させることが望ましいので、製造中に試薬をミリメートルの精度で点在配置することは必要ではなく、また乾燥試薬点の存在で浸潤性を達成する十分な手段ではない。
【００１１】
例えば、基板のプラズマ処理または疎水性を低減する界面活性剤の組み込みによって、およびチャンネル交差点にラディアス（ｒａｄｉｕｓ）を与えることによって、マイクロ流体チャンネルまたはチャンバーにおける界面および表面張力の低減を達成できることは周知である。また、これらの処理は浸潤性を向上させることが知られているが、機械的に混入された気泡および熱的脱気、空洞化または停滞ゾーンから得られる気泡の除去には有効ではない。実際に、界面活性剤は気相の安定な気泡および泡を形成する傾向を高めることができ、その永続性によってアッセイの機能を損なうことができる。さらに、プラズマ処理などのプロセスによる表面の改質は製造における制御の困難さが予測され、恒久的ではなく装置貯蔵の間に徐々に劣化し得る。したがって、アッセイチャンネルの初期浸潤の間に、乾燥試薬の再水和中の気泡の形成と混入を低減し、装置の運転中に気泡の蓄積と障害を防止または低減する機械的手段および方法を開発することが望ましく、本発明の目的である。
【先行技術文献】
【特許文献】
【００１２】
【特許文献１】米国特許第６，６３７，４６３号明細書
【特許文献２】米国特許出願公開第２００７／０２８０８５６号明細書
【発明の概要】
【課題を解決するための手段】
【００１３】
本発明のマイクロ流体カートリッジ（ここではより一般的に「装置」と呼ぶ）は一般に可撓性プラスチック本体から形成され、その中で行われる診断または生物アッセイの必要性に応じて流体的に相互連絡するパターン形成された流体チャンネルおよびチャンバーを含む。アッセイは試料を１つ以上の試薬と１つ以上のステップで、典型的に装置の１つ以上のチャンネルまたはチャンバー中で、試料中のアナライトの存在または不在を示す検出可能な生成物を形成するのに有効な時間および温度で反応させることによって行われる。カートリッジは典型的に消費可能である。すなわち、それらは一度使用され、次いで廃棄され、１つ以上のアッセイに必要な全ての試薬を含む。
【００１４】
アッセイを行うために、本発明の装置は、対象の任意の標的アナライトの存在、不在、および／もしくは量を示す色原体またはフルオロフォアの検出のための分光光度計あるいは蛍光計など、光学検出（または他の検出手段）に依存するホスト機器中に挿入される。好ましい実施形態において、装置中の光学窓がホスト機器の検出手段とのインターフェースをとる。しかし、光学窓中の１つ以上の気体気泡はアナライトの検出を阻害し得る。また、気泡は例えば、アンプリコンまたは生物化学または分子反応の他の生成物などの検出可能な生成物を形成するのに必要な反応を妨害し、気泡は、反応混合物の不均一な加熱、不十分な混合、または乾燥試薬の不完全な、または時期を逸した再構成の原因になり得る。
【００１５】
使用において、試料流体は本発明の装置中に導入され、次いで装置の流体連絡チャンネルおよびチャンバーは生物的液体試料単独、液体試薬、または試料と１つ以上の液体試薬の混合物のいずれかで浸潤される。装置の浸潤可能に流体連絡する態様は装置の「液圧ワーク（ｈｙｄｒａｕｌｉｃ  ｗｏｒｋ）」と呼ばれ、チャンネルとチャンバーを有する１つ以上のマイクロ流体サブ回路を含む。液圧の制御は別個の二次ネットワークまたは装置中のチャンバーとチャンネルのマニホルドとして重ね合わせられ、加圧空気および真空の外部源を供給された空圧駆動バルブ、ポンプ、およびダイアフラムによって行われる。この二次ネットワークは装置の「空圧ワーク（ｐｎｅｕｍａｔｉｃ  ｗｏｒｋ）」と呼ばれる。したがって、装置は液体または複数の液体を輸送するための一次「液圧ネットワーク」および気体を輸送するための二次「空圧ネットワーク」から構成される。空圧ネットワークはカートリッジがアッセイを行うためにインターフェースをとられるホスト機器のバルブとポンプのロジックに従って、（ａ）プロセス制御および（ｂ）液圧ネットワークを経由して液体または複数の液体を駆動するための正または負の圧力を提供する。
【００１６】
装置の液圧チャンネルおよびチャンバー内に配設された任意の乾燥試薬の再水和を含む、液体試薬の取り扱いおよび混合は、気泡が液圧系の浸潤の間に既に混入された点で問題であった。これは特に初期浸潤の間に起こり、気泡が装置を通って急速に進み、続いて混合および加熱に伴う空洞化または脱気などによってメニスカスに巻き込まれる。本発明は１つ以上の流体取り扱い機構および方法によってこの問題に対処する。
【００１７】
本発明の機構、特徴および方法は、
（１）液圧の下で液体を受動的に貯蔵し、浸潤可能な下流のマイクロ流体サブ回路のチャンネルまたはチャンバーの浸潤の間に液体を放出するように構成された弾性のエネルギー保存空圧液圧ダイアフラム、
（２）液体試薬を貯蔵し放出するための液体中心（ｌｉｑｕｉｄ  ｃｅｎｔｅｒ）を有する二重層の空圧液圧ダイアフラム、
（３）浸潤の間に液圧チャンバーからヘッド空間を除去するように構成された空圧液圧ダイアフラム、または、
（４）バルブ付き入口を備える第１液圧チャンバーとインターフェースをとる第１空圧液圧ダイアフラムと、バルブ付き出口を備える第２液圧チャンバーとインターフェースをとる第２空圧液圧ダイアフラムとを含む一対の空圧液圧ダイアフラム、
を含む、空圧液圧ダイアフラム、ならびに
第１および第２液圧チャンバーの間を直接連絡する高められたチャンネル、
を特徴とし、この対は、第１および第２の空圧液圧ダイアフラムを横断して反対の圧力差を加えることによって連絡チャンネルを経由して液体を往復交換するために構成され、液圧チャンバーおよびダイアフラムは、アッセイにおける、浸潤、充填、送液または再水和のステップの間に気泡の混入または試薬の流出を防止または低減するように構成される。
【００１８】
さまざまな例示的実施形態によれば、１つ以上の液体試薬は製造の際に装置上に封止された貯蔵器中に配設される。乾燥試薬はチャンネルまたはチャンバー中に印刷または「点在」され、使用の時に再水和される。液体試薬は緩衝剤、希釈剤、溶媒、溶離剤、洗浄剤、および再水和剤として機能する。これらの能力において、液体はそれらの封止された貯蔵器から空圧駆動によって装置の液圧系に分配される。
【００１９】
好ましい液体試薬実施形態において、本発明の封止された液体保存貯蔵器は、液体中心を備える二層ダイアフラム、装置の空圧ワークと液圧ワークを密封的に分離する二重ダイアフラムとして構成される。二重ダイアフラムは２つの液体中心によって分離された不浸透性フィルム層から構成され、ダイアフラムが液圧チャンバーと空圧チャンバーを分離するように、縁部の周囲にクリンピングまたは溶融され、装置中に封止される。装置の空圧ワークに面する上部層は、破裂に抵抗する組成物を有するフィルムから形成され、装置の液圧ワークに面する下部層は、破裂に敏感な組成物を有するフィルムから構成される。ダイアフラムの空圧側の加圧は液体充填された貯蔵器を流体受容ボウル中に配設された針（ｓｈａｒｐ）または「とげ（ｂａｒｂ）」を動かして下部層を刺すが、上部層は刺さない。破裂に続いて、液体は液圧チャンバー中に流れ、そこから装置のマイクロ流体の浸潤可能なチャンネル中に流れる。ダイアフラムの空圧側に圧力を加えることによって、試薬の１つ以上の容積は圧力下で液圧ワーク中に動かされ、逆の圧力によって、流体は逆流することができる。
【００２０】
この態様において、本発明のアッセイカートリッジはその中に、
（ａ）空圧ワークの空圧チャンバーと液圧ワークの液圧チャンバーを密封的に分離する二重層ダイアフラムであって、二重層ダイアフラムは空圧ワークに面する第１側と液圧ワークに面する第２側を有し、第１層はその第１側を形成し、第２層はその第２側を形成し、第１および第２層はその間に液体中心として液体を閉じ込める二重層ダイアフラム、
（ｂ）液体を受け取り、下流のマイクロ流体サブ回路に輸送するための液体出口、
（ｃ）液圧チャンバー中に配設された針または「とげ」であって、ダイアフラムに圧力差を加えることによって二重層ダイアフラムが駆動されて針に刺されるように接触する時、針は第２層を選択的に破裂させ、液体を液圧ワーク中に放出する針または「とげ」、を有することを特徴とする。
【００２１】
驚くべきことに、液体は無傷に留まるダイアフラムの第１層に加えられた空圧圧力の連続的なパルスの作用によって基板上の試薬貯蔵器から一連の小さな液体で放出され得る。
【００２２】
場合によって、二重層ダイアフラムの第１層は破裂抵抗層であり、第２層は破裂感受性層である。液体反応物、緩衝剤、再水和流体、溶媒、または希釈剤を含むことができる。液体の基板上の貯蔵は、例えば、下流のチャンバーまたはチャンネルに配設された乾燥試薬を再水和すること、固相を洗浄すること、標的アナライトまたは複数のアナライトを固相基質から溶離すること、希釈を行うこと、クロマトグラフ的分離を行うこと、反応を開始または停止すること、標的アナライトまたは複数のアナライトを検出すること、持ち出し汚染の可能性を最小にすることに有用である。場合によって、液体は脱気され、二重層ダイアフラムは気体不浸透性である。有利なことに、あらゆる混入された気泡は脱気された液体中に再吸収される傾向があり、脱気された液体はＰＣＲにおける熱循環などに有用なように、加熱での脱気に感受性がない。
【００２３】
装置は一般に平坦であるが、それらはホスト機器に典型的に平面から約１５度の傾斜位置（すなわち、基面に対して角度をつけて）に搭載してもよく、各マイクロ流体サブ回路の下流側で排気される。液体試料または試薬が液圧サブ回路中に上流で導入されると、空気は下流に移動し排気される。液体試料および試薬は徐々に装置を動いて充填する。カードを１０〜３５度に傾斜させることによって、呼び水（ここでは「浸潤」と呼ぶ）の間に装置中の空気は液圧ワークからより容易に移動されることが見出された。傾斜されたカードの初期充填中に前進メニスカスを注意深く管理することによって、特に充填中の気泡混入の問題は大きく低減または防止される。
【００２４】
したがって、場合によって、液圧ワークはホスト機器の傾斜台上の基面に対して１０〜３５度で搭載される時に運転するように構成してもよく、少なくとも１つの液圧チャンバーは、チャンバーから気体の排気または気泡を放出するために、そのチャンバーに対して上部に配置された出口および連絡チャンネルを備えて構成される。
【００２５】
本発明の他の態様において、浸潤の間の気泡の混入は、弾性的に拡大または膨張した空圧液圧ダイアフラムの受動的弛緩を含む充填機構によって制限される。この受動的機構は毛管による充填およびポンプ作動または真空による能動的移動による充填よりも優れていることが見出された。液体は最初に圧力の下で「液圧チャンバー」の上部に積み重ねられた「空圧チャンバー」を有する特別に設計されたマニホルド中に駆動され、２つのチャンバーは液圧チャンバーの天井の上に広げられた弾性ダイアフラムによって分離される。場合によって、替りに液体は下部チャンバー中に吸引されてもよいが、上部空圧チャンバーが排気され大気圧に開放されるのが有利である。２つのチャンバーの位置は（説明のために「上部」および「下部」または「頂部」および「底部」と呼ぶが）相対的であり、装置の運転を制限しない。液体が液体受容チャンバー中に入ると、ダイアフラムは容積を保持するために拡大し、戻り力およびバネ定数を有するポテンシャルエネルギーの形の変形エネルギーを弾性的に保存する。ダイアフラム材料および変形条件は材料の「弾性限界」を超えないように選択される。次いで、バルブを下流チャンネルまたは複数のチャンネルに開くことによって、大きく膨張して拡大したダイアフラムはその弛緩状態に戻り、流体は前進するメニスカス中に気泡の混入なしに下流の流体構造を緩やかに充填する。
【００２６】
この機構および方法は、流れが複数のチャンネル中に分割され、驚くほど有利であることが実証された。弾性ダイアフラムを有し、各々同期して開く個別のバルブ付き出口を備える複数の液体受容チャンバーを備える上流の輸送マニホルドを提供することによって、全てのチャンネル中への流れが本質的に等しく、十分であるように、複数の下流の流体サブ回路に並列に液体の流れを起動し維持するための液圧は分離または「量子化」される。下流チャンネル当たりの総圧力および容積は、下流チャンネル中への液体の流れの回復が下流チャンネルを望ましい目標に充填するのに必要な容積であるように、バネ定数および弾性ダイアフラム部材の変形を選択することによって正確に較正することができ、輸送マニホルドの各ダイアフラムによって送達された移動容積は、複数の並列チャンネルまたはサブ回路の中に等しく流れを分割する流体運転、並列の複数のアッセイを意図した装置中の必要な流体運転にとって不十分でも過剰でもない。これは当分野における技術的な前進である。いかなる下流の空気も前進メニスカスによって容易に移動され、この手段によって下流の排気に運ばれる。
【００２７】
この態様において、本発明のアッセイカートリッジは、
（ａ）複数のチャンバーを有する輸送マニホルドを含み、複数のチャンバーの各チャンバーはその間に密封的に搭載された弾性のエネルギー保存空圧液圧ダイアフラムによって液圧チャンバーおよび空圧チャンバーに分離され、入口を通って直列または並列に各液圧チャンバー中に入った液体は、前記輸送マニホルド全体にわたってその移動容積に比例する等圧圧力に従い、各エネルギー保存空圧液圧ダイアフラムを膨張させ、
（ｂ）充填が完了した後、輸送マニホルド全体の液圧を平衡させるために入口はバルブによって閉鎖可能であり、
（ｃ）排気口付きの並列の複数の下流チャンネルを含み、複数のチャンネルの１つのチャンネルは輸送マニホルドの各液圧チャンバーに流体連絡し、各排気口付きの下流チャンネルは、充填および加圧中に閉鎖され、排出および減圧中に開くためのバルブを有し、それによって、膨張状態の弾性の空圧液圧ダイアフラムの液圧は、複数の排気口付きの下流チャンネルが並列に等しく浸潤する間にメニスカスを前進させる仕事へ受動的に変換される。
【００２８】
より一般的に、浸潤または「呼び水」は、そこに流体的に接続された浸潤可能な下流のマイクロ流体回路を通ってメニスカスを前進させる仕事を行い、それによってその中のあらゆる気体は気泡の混入なしに下流の排気へ移動する、流体的に膨張した状態における弾性空圧液圧ダイアフラムの機械的特性を利用することによって改善される。この原理は、複数の下流のマイクロ流体サブ回路に並列に流体を等しく分割するのに特に有利である。このようにして、複数のアッセイを並列に行うことができ、単一の試料は分離した下流の検出手段を有する並列アッセイのために等しく分割することができる。驚くべきことに、弾性ダイアフラムの機械的特性を較正して、１つ以上の下流のマイクロ流体サブ回路を標的まで充填することができ、例えば、所定容積中の乾燥溶媒の所定の量を再構成するのに有用である。
【００２９】
また、マイクロ流体装置は典型的に下流の液圧ネットワーク内に配設された少なくとも１つの乾燥試薬を含む。これらの試薬は典型的に製造中に点在または印刷される。アッセイの間、乾燥試薬は試料によって、または上述のように分配された液体試薬と接触することによって再水和される。思いがけず、われわれは受動的液体浸潤機構および本明細書に説明する方法が、気泡の混入なしに、乾燥試薬の再水和に有利に適していることを見出した。当分野における他の技術的進歩である。
【００３０】
関連する実施形態において、乾燥試薬が点在する下流チャンバー中に空圧起動ダイアフラムを提供することによって、これらの試薬点を覆うダイアフラムは、（ａ）試薬ゾーン（典型的にチャンバーの床および中央）がチャンバー浸潤プロセス中にバルク流体と接触するのを一時的に封止する、（ｂ）本質的に乾燥試薬上のヘッド空間の全てを除去または駆逐するように、加圧することができることをわれわれは見出した。ダイアフラムは、液圧ダイアフラムを充填するために変形する時、チャンバーの周辺部が完全に封止されない。ダイアフラムの周辺に入る液体は、チャンバーの下部縁部の周りに逸らされ、いかなる残留空気も容易に移動して充填中に液圧から排気される。ダイアフラムへの圧力差を弛緩または逆転することによって、追加の流体は混入気泡の形成なしにチャンバー中に容易に吸引される。試薬はチャンバーの下流出口がバルブで閉鎖された後にだけ再水和され、それによって試薬の流出による損失を低減する。したがって、乾燥試薬チャンバーの減少したデッド容積は利点になる。幸せなことに、このようにして乾燥試薬点は再水和する試薬または試料の所望の容積を正確に再構成することができ、試薬の生物活性はアッセイ条件にとって定量的に正しくなり、当分野における有用な改善である。
【００３１】
したがって、本発明は、上流の入口および下流の排気口を備える下流反応チャンバーを有する少なくとも１つのマイクロ流体サブ回路を特徴とすることができ、下流の反応チャンバーは乾燥試薬の点または複数の点を含み、空圧液圧ダイアフラムが、ヘッド空間の空気を移動させ、浸潤の間に試薬点または複数の点の周囲および上部に一時的な保護カバーを形成するようにダイアフラムがチャンバーの床に対して膨張する第１の位置、およびチャンバーを液体で充填し、気泡混入または試薬の流出なしに最高の強度で試薬点を露出および溶解するように、ダイアフラムが弛緩位置またはチャンバーの天井に対して吸引される第２位置で運転するように構成されることをさらに特徴とする。乾燥試薬点は緩衝剤、酵素、補酵素、補因子、ポリメラーゼ、プライマー、分子ビーコン、プローブ、フルオロフォア、脱水素酵素、オキシダーゼ、反応体、色原体、基質、抗体、抗原、または対照物とすることができる。
【００３２】
また、気泡の混入を制限しながらマイクロ流体カートリッジを浸潤させる方法が特許請求され、
（ａ）各前記液圧チャンバー中の液体を覆う弾性空圧液圧ダイアフラムが拡大膨張され、それによって複数の液圧チャンバー中の液体を加圧するように、入口を通ってマイクロ流体カードの輸送マニホルドを形成する複数の液圧チャンバー中に液体を送液すること、
（ｂ）輸送マニホルドの各液圧チャンバーからの出口をバルブで開き、各出口は排気口付きの下流のマイクロ流体サブ回路に流体接続されること、
（ｃ）膨張した弾性ダイアフラムの受動的な弛緩によって、気泡の混入なしに、前記各浸潤可能な下流のマイクロ流体サブ回路の中に実質的に等しい分量で液体を分割することを含む。
【００３３】
弾性ダイアフラムの受動的な弛緩によってマイクロ流体装置を浸潤させることは、毛管作用または能動的な送液による浸潤とは容易に区別され、当分野で知られる気泡混入の困難性を克服するのに驚くほど有利であることが実証された。
【００３４】
また、その中への気泡混入を制限しながら、乾燥試薬点を含むマイクロ流体カートリッジを浸潤させる方法が特許請求され、
（ａ）各液圧チャンバー中の液体を覆う弾性空圧液圧ダイアフラムが膨張し、それによって液体を等圧加圧するように、入口を通ってマイクロ流体カードの複数の液圧チャンバー中に液体を送液すること、
（ｂ）複数の下流反応チャンバー中の第２ダイアフラムを加圧し、各下流の反応チャンバーは乾燥試薬点を含み、第２ダイアフラムは試薬の周囲および上部を封止し、下流反応チャンバーからヘッド空間の空気を移動するための一時的な保護カバーを形成すること、
（ｃ）各液圧チャンバーからの出口をバルブで開き、各出口は複数の下流反応チャンバーの１つに流体接続すること、
（ｄ）下流反応チャンバーの一時的カバーの周囲を浸潤させ、膨張した弾性空圧液圧ダイアフラムを弛緩させることによって、反応チャンバーからあらゆる残留空気を排除し、液体は前進するメニスカスを形成すること、
（ｅ）場合によって下流反応チャンバーから下流のバルブを閉じること、
（ｆ）一時的なカバーを持ち上げて液体の残る部分を反応チャンバー中に送り、それによって、気泡混入または試薬流出なしに最高強度で試薬点を溶解すること、を含む。一時的なカバーは弛緩によって、または第２ダイアフラム部材への圧力差を逆転させることによって持ち上げられる。
【００３５】
他の方法において、チャンネルによって直列に相互接続される時、空圧液圧ダイアフラムを備える一対のチャンバーを用いて、流体を往復動で送液するためにＰＣＲのための浸潤および試薬溶解を助けることができる。交互に正と負の空圧パルスを第１チャンバー中の第１ダイアフラムに加えることによって、第２チャンバー中の第２ダイアフラムは同期して駆動される。第２ダイアフラムは、第１ダイアフラムのパルス状エネルギーを収容して弾性的に保存するように機能する弾性ダイアフラムとすることができる。混合は液体を２つのチャンバー間で前後に送ることによって容易に達成される。各液圧チャンバーに薄い熱交換フィルムおよび適切な接触加熱要素を設けることによって「２つのゾーン」ＰＣＲが容易に達成される。改善された装置において、初期の浸潤および送液の間に、気泡が重力で上昇してチャンバーを浄化するように、チャンバー間の連絡チャンネルが外形形成されて高い位置に置かれ、加熱中に形成する追加の気泡を混入するであろう。相互連絡チャンネルは１０〜３５度の傾斜で運転されるように構成される外形を有して、気泡からの妨害を低減するように対のチャンバーの高い側に配置されるのが好ましい。流体は標的核酸の変性温度の第１チャンバーとアニール温度の第２の間で循環される。装置のプラスチック本体はＰＣＲの間、装置の寄生的熱容量（ｐａｒａｓｉｔｉｃ  ｈｅａｔ  ｃａｐａｃｉｔａｎｃｅ）を制限する。熱サイクルあたり８秒以下の速度の核酸増幅が容易に達成される。
【００３６】
ＰＣＲのために、増幅試薬が装置に設けられる。典型的に、第１チャンバーは第１試薬または複数の試薬を含み、第２チャンバーは第２試薬または複数の試薬を含む。典型的に、試薬は各チャンバーの中央または中央近くに点在する。再水和流体のメニスカスまたは試料が点在試薬を溶解しそれらを溶媒の先端とともに下流に運ぶ際に起きる再水和およびいかなる流出も制限するように、初期の浸潤の間に、チャンバー中のダイアフラムは試薬を押し下げ覆うように膨らんで膨張する。初期の浸潤の後、流体をチャンバー中に吸入しその中の試薬を溶解するように、ダイアフラムに吸引圧力を加えることができる。替りに、下流のチャンバーを液圧的に膨らませ、試薬を溶解するように上流のチャンバーを加圧してもよい。流れの流体方向は混合および再水和を改善するように一回以上逆転することができる。
【００３７】
したがって、本発明は「２ゾーン熱サイクル」のための熱伝導部およびＰＣＲ増幅を駆動し制御するための空圧手段を備える空圧インターフェースを有するホスト機器に用いるためのカートリッジを含むことができる。装置は標的核酸を循環的に変性およびアニールするように、２つの相互接続された液圧チャンバー中の対のダイアフラムの往復空圧液圧作用によって働き、カートリッジは、気泡の混入なしに液体によるチャンバーの浸潤を改善するために、本発明の１つ以上の浸潤性特徴を有利に有する。また、装置は浸潤の間の流出損失なしに固定容積中の試薬を溶解するのに有利であり、プライマー、緩衝剤、および他の試薬が再構成時に一定の強度であることを確実にする。
【００３８】
したがって、本発明のさまざまな態様は診断および生物化学的アッセイのためのマイクロ流体カートリッジの運転における新規な利便性を提供し、これらの装置に伴う問題の長い原因であった気泡妨害を制限するための機構および方法として有利であることが見出される。
【００３９】
本発明の好ましい実施形態において、例えば以下の項目が提供される。
（項目１）
生物学的試料中の標的の１つまたは複数のアナライトのアッセイのためのマイクロ流体カートリッジであって、前記マイクロ流体カートリッジは、
（ａ）プラスチックの熱絶縁性カートリッジ本体であって、
（ｉ）試料入口と、１つ以上の基板上のアッセイのための液体または乾燥試薬と、前記上流入口に流体接続され下流排気口で排気されるチャンネルおよびチャンバーを備える浸潤可能な下流のマイクロ流体サブ回路とを含む、液圧ワーク、ならびに
（ｉｉ）空圧圧力を受け取る１つまたは複数の入り口と、空圧サブ回路であって、前記空圧圧力を前記空圧サブ回路から伝えるためのチャンネルおよびチャンバーを備える空圧サブ回路とを含む空圧ワーク、
を囲む、本体と、
（ｂ）前記浸潤可能なマイクロ流体サブ回路の液圧チャンバーと前記空圧サブ回路の空圧チャンバーのインターフェースをとるように構成された少なくとも１つの空圧液圧ダイアフラムと
を含み、
前記空圧液圧ダイアフラムが、前記液圧チャンバーに面する第１の側および前記空圧チャンバーに面する第２の側を有し、
前記空圧液圧ダイアフラムが、
（Ａ）前記浸潤可能なマイクロ流体サブ回路の下流チャンネルまたはチャンバーの浸潤の間に、液圧の下で液体を受動的に保存し、前記液体を放出するように構成された、弾性の、エネルギー保存空圧液圧ダイアフラム、
（Ｂ）液体試薬を保存し放出するための液体中心を有する二重層の空圧液圧ダイアフラム、
（Ｃ）浸潤の間に液圧チャンバーからヘッド空間を除去するように構成された空圧液圧ダイアフラム、
（Ｄ）第１液圧チャンバーをバルブ付き入口とのインターフェースをとる第１空圧液圧ダイアフラム、および第２液圧チャンバーをバルブ付き出口とのインターフェースをとる第２空圧液圧ダイアフラムを含む一対の空圧液圧ダイアフラム、
から選択され、前記対は、前記第１空圧液圧ダイアフラムおよび第２空圧液圧ダイアフラム上に逆の圧力差を加えることによって、前記第１液圧チャンバーおよび第２液圧チャンバーの間の上昇された相互連絡チャンネルを通して流体を相互に交換するように構成され、
前記液圧チャンバーおよびダイアフラムは、アッセイにおける浸潤、充填、ポンプ輸送または再水和のステップの間、気泡混入または試薬流出を防止または低減するように構成されることを特徴とする、マイクロ流体カートリッジ。
（項目２）
前記液圧ワークが、ホスト機器の傾斜した台上の基面に対して１０〜３５度の傾斜角度θで搭載されるときに作動するように構成され、少なくとも１つの液圧チャンバーが、前記チャンバーから気体を排気し、または気泡を排出するように前記チャンバーに対して上方に配置された出口および相互連絡チャンネルで構成される、項目１に記載のマイクロ流体カートリッジ。
（項目３）
前記液圧ワークが、前記上流入口に流体接続されて１つ以上の下流排気口で排気されるチャンネルおよびチャンバーを備える複数の浸潤可能な下流のマイクロ流体サブ回路を含み、前記複数の浸潤可能なマイクロ流体サブ回路が各々並列にアッセイを行うように構成され、前記浸潤可能なマイクロ流体サブ回路の各々には分離した検出チャンバーが設けられる、項目１または２に記載のマイクロ流体カートリッジ。
（項目４）
膨張状態における前記弾性空圧液圧ダイアフラムの液圧および液体が、下流のバルブを開くことによって浸潤可能な下流のマイクロ流体サブ回路に流体接続された前記浸潤可能な下流のマイクロ流体サブ回路中のメニスカスを前進させるワークに受動的に変換され、それによってあらゆる気体を前記下流排気口に排気する、項目１に記載のマイクロ流体カートリッジ。
（項目５）
前記受動的に作動される弾性空圧液圧ダイアフラムの前記液体および液圧が、前記下流のマイクロ流体サブ回路を標的まで充填するように較正される、項目４に記載のマイクロ流体カートリッジ。
（項目６）
下流の浸潤可能なマイクロ流体サブ回路の複数のチャンバーが、下流の浸潤可能なマイクロ流体サブ回路を標的まで等しく充填するように各々弾性の受動的に運転される空圧液圧ダイアフラムで構成され、各前記サブ回路が各々並列にアッセイを実行するように較正され、各前記サブ回路には分離した検出チャンバーが設けられる、項目５に記載のマイクロ流体カートリッジ。
（項目７）
前記空圧液圧ダイアフラムが、ポリウレタンダイアフラム、ポリビニリデンクロリドダイアフラム、ポリオレフィンダイアフラム、ポリエステルダイアフラム、ポリエチレンダイアフラム、ポリエチレンテレフタラートダイアフラム、ナイロンダイアラム、またはその積層または共押し出し組み合わせであり、場合によって金属化フィルム層を含む、項目１に記載のマイクロ流体カートリッジ。
（項目８）
前記項目に記載のマイクロ流体カートリッジであって、
（ａ）複数のチャンバーを有する輸送マニホルドであって、入口を通って直列または並列に前記液圧チャンバー中に入る液体が、各々その排除容積に比例する等圧力に従って前記エネルギー保存空圧液圧ダイアフラムを膨張させるように、前記複数のチャンバーの各前記チャンバーが、それらの間に封止されて搭載された弾性のエネルギー保存空圧液圧ダイアフラムによって液圧チャンバーと空圧チャンバーに分離される輸送マニホルドと、（ｂ）前記入口が、充填が完了した後、前記輸送マニホルド全体に前記液圧を平衡化するためにバルブで閉鎖可能であることと、
（ｃ）複数の排気された並列の下流チャンネルであって、前記複数のチャンネルの前記１つのチャンネルが、前記輸送マニホルドの前記液圧チャンバーの各々と流体連絡し、前記排気口付きの下流のチャンネルが、充填および加圧の間に閉鎖し、排出および減圧の間に開くようなバルブを有し、それによって膨張状態における前記弾性空圧液圧ダイアフラムの前記液圧が、前記複数の排気口付きの並列の下流チャンネルの初期浸潤の間にメニスカスを前進させる仕事に受動的に変換されるチャンネルとをさらに特徴とする、マイクロ流体カートリッジ。
（項目９）
各前記下流の排気口付きのチャンネルがマイクロ流体サブ回路への入口として流体的に構成され、
各前記弾性のエネルギー保存空圧液圧ダイアフラムが液体を各前記下流のマイクロ流体サブ回路間に等しく分割するように適合される、項目８に記載のマイクロ流体カートリッジ。
（項目１０）
前記各マイクロ流体サブ回路が、液体試薬、乾燥試薬、またはその組み合わせを、液体試料と混合するために設けられた少なくとも１つの反応チャンバーを含み、標的の１つまたは複数のアナライトを検出する手段に連動するように構成された少なくとも１つの検出チャンバーを含む、項目９に記載のマイクロ流体カートリッジ。
（項目１１）
前記空圧チャンバーが大気へと通気される前記項目に記載のマイクロ流体カートリッジ。（項目１２）
液体を前記液圧ワークのマイクロ流体サブ回路中に分配するための基板上試薬貯蔵器を含み、前記試薬貯蔵器が、
（ａ）前記空圧ワークの空圧チャンバーと前記液圧ワークの液圧チャンバーを密封的に分離する二重層ダイアフラムであって、前記二重層ダイアフラムは、前記空圧ワークに面する第１の側と、前記液圧ワークに面する第２の側とを有し、第１層はその前記第１の側を形成し、第２層はその前記第２の側を形成し、前記第１層および第２層がそれらの間に液体中心として前記液体を閉じ込める、二重層ダイアフラムと、
（ｂ）前記液体を受け取って前記下流のマイクロ流体サブ回路に送るための流体出口と、
（ｃ）前記液圧チャンバー中に配置された針であって、前記二重層ダイアフラムが、前記ダイアフラムに圧力差を加えることによって、針に接触して穿孔するように動かされるとき、前記針が前記第２層を破裂させ、前記液体を前記液圧ワーク中に放出する針と、を特徴とする前記項目に記載のマイクロ流体カートリッジ。
（項目１３）
前記二重層ダイアフラムの前記第１層が破裂抵抗性であり、前記第２層が破裂に感受性のある項目１２に記載のマイクロ流体カートリッジ。
（項目１４）
前記第１層が、破裂抵抗性であるように構成された外側のナイロンベース層を有する積層型ポリマーであり、前記第２層が破裂感受性のあるように構成された外側のポリエチレンテレフタラート部材を有する積層型ポリマーである項目１３に記載のマイクロ流体カートリッジ。
（項目１５）
前記基板上試薬貯蔵器がそれに加えられた空圧圧力の連続的なパルスの作用によって液体を連続的に放出するために構成される項目１２に記載のマイクロ流体カートリッジ。
（項目１６）
前記液体が、液体反応体、緩衝剤、再水和流体、または希釈剤を含み、前記液体が、下流のチャンバーまたはチャンネルに配設された乾燥試薬の再水和、固相の洗浄、固相基質からの標的の１つまたは複数のアナライトの溶離、希釈液の作製、クロマトグラフ分離の実施、反応の開始または停止、または前記標的の１つまたは複数のアナライトの検出から選択されるアッセイステップのためのものであり、場合によって前記液体が脱気され、そして前記二重層ダイアフラムが気体不透過性である、項目１２〜１５に記載のマイクロ流体カートリッジ。
（項目１７）
前記項目に記載のマイクロ流体カートリッジであって、上流入口および下流排気口を備える下流反応チャンバーとして形成された液圧チャンバーを備える少なくとも１つのマイクロ流体サブ回路を含み、前記下流の反応チャンバーは乾燥試薬点または複数の点を含み、
前記空圧液圧ダイアフラムが、ヘッド空間の空気を排出し浸潤の間に試薬の１つまたは複数の点の周囲および上に一時的な保護カバーを形成するように、前記ダイアフラムがチャンバーの床に対して膨張する第１の位置、および前記チャンバーを液体で充填し、気泡混入または試薬流出なしに試薬点を開放して最高強度で溶解するように前記ダイアフラムが前記チャンバーの天井に対して弛緩位置にあるかまたは吸引される第２位置で作動するように構成されることをさらに特徴とする前記項目に記載のマイクロ流体カートリッジ。（項目１８）
前記乾燥試薬点が、緩衝剤、酵素、補酵素、補因子、ポリメラーゼ、プライマー、分子ビーコン、プローブ、フルオロフォア、脱水酵素、オキシダーゼ、反応体、色原体、基質、抗体、抗原、または対照である項目１７に記載の方法。
（項目１９）
ＰＣＲを実行するための前記項目に記載のマイクロ流体カートリッジであって、前記マイクロ流体カートリッジが、
第１液圧チャンバーを覆う第１空圧液圧ダイアフラム、および第２液圧チャンバーを覆う第２空圧液圧ダイアフラムであって、ここで、前記第１液圧チャンバーおよび第２液圧チャンバーは流体相互接続チャンネルを有する、第１空圧液圧ダイアフラムおよび第２液圧チャンバーと、
第１加熱要素を並置するように構成された前記第１液圧チャンバーの第１熱伝導部および第２加熱要素を並置するように構成された第２液圧チャンバーの第２熱伝導部を備える２ゾーンのＰＣＲ熱サイクルのための熱伝導部と
をさらに含み、
前記第１空圧液圧ダイアフラムが、ＰＣＲ増幅中、前記第１液圧チャンバーと第２液圧チャンバーとの間に相互の流体流れを駆動するための空圧手段で構成され、
前記相互接続チャンネルが、気泡からの妨害を低減するために１０〜３５度の傾斜角度θで作動されるように構成されることを特徴とするマイクロ流体カートリッジ。
（項目２０）
前記第２空圧液圧ダイアフラムが弾性ダイアフラムであり、前記空圧液圧ダイアフラムの動きによって受動的に仕事が行われる項目１９に記載のマイクロ流体カートリッジ。
（項目２１）
光学窓によって第１の対向側、および熱光学窓によって第２対向側に囲われた検出チャンバーをさらに含み、
空気および気泡をその上に上方に配設された排気ポートに排出するように、前記検出チャンバーが１０〜３５度の傾斜角度θで作動されるように構成されることを特徴とする、前記項目に記載のマイクロ流体カートリッジ。
（項目２２）
ホスト機器中で消耗可能に使用するための前記項目に記載の１つ以上の廃棄可能なマイクロ流体カートリッジを含むキットであって、前記マイクロ流体カートリッジが、核酸、プロテイン、抗原、抗体、メタボライト、または酵素のための少なくとも１つのアッセイを行うための基板上試薬を備え、場合によって、気密パッケージ中に不活性雰囲気を備える、キット。
（項目２３）
ホスト機器中に消耗可能に使用するための前記項目に記載の１つ以上のマイクロ流体カートリッジを含むキットであって、前記マイクロ流体カートリッジが、少なくとも１つの核酸アッセイを行うための基板上試薬を備え、各カートリッジは使用説明書を備えて気密封止ポーチ中に梱包され、使用者は、アッセイされる生物学的液体試料を試料入口に置き、前記マイクロ流体カートリッジを前記ホスト機器中に挿入することだけが必要であり、前記カートリッジは、全てのプライマー、酵素補因子、塩、緩衝剤、ポリメラーゼ、およびバクテリア（Ａｃｉｎｅｔｏｂａｃｔｅｒ  ｂａｕｍａｎｎｉｉ、Ａｃｔｉｎｏｂａｃｉｌｌｕｓ  ｅｑｕｕｌｉ、  Ｂａｃｉｌｌｕｓ  ａｎｔｈｒａｃｉｓ、Ｂｒｕｃｅｌｌａ  ｍｅｌｉｔｅｎｓｉｓ、Ｂｒｕｃｅｌｌａ  ａｂｏｒｔｕｓ、Ｂｏｒｄａｔｅｌｌａ  ｐｅｒｔｕｓｓｉｓ、Ｂｏｒｄａｔｅｌｌａ  ｂｒｏｎｃｈｉｏｓｅｐｔｉｃａ、Ｂｕｒｋｈｏｌｄｅｒｉａ  ｐｓｅｕｄｏｍａｌｌｅｉ、Ｃｏｒｙｎｅｂａｃｔｅｒｉｕｍ  ｄｉｐｔｈｅｒｉａｅ、Ｃｏｘｉｅｌｌａ  ｂｕｒｎｅｔｉｉ、Ｅｉｋｅｎｅｌｌａ  ｃｏｒｒｏｄｅｎｓ、Ｅｓｃｈｅｒｉｃｈｉａ  ｃｏｌｉ、Ｆｒａｎｃｉｓｅｌｌａ  ｔｕｌａｒｅｎｓｉｓ、  Ｆｒａｎｃｉｓｅｌｌａ  ｎｏｖｉｃｉｄａ、Ｆｕｓｏｂａｃｔｅｒｉｕｍ  ｎｅｃｒｏｐｈｏｒｕｍ、Ｈａｅｍｏｐｈｉｌｕｓ  ｉｎｆｌｕｅｎｚａｅ、Ｋｌｅｂｓｉｅｌｌａ  ｏｘｙｔｏｃａ、Ｋｌｅｂｓｉｅｌｌａ  ｐｎｅｕｍｏｎｉａｅ、Ｋｉｎｇｅｌｌａ  ｄｅｎｉｔｒｉｆｉｃａｎｓ、Ｌｅｇｉｏｎｅｌｌａ  ｐｎｅｕｍｏｐｈｉｌａ、Ｌｉｓｔｅｒｉａ  ｍｏｎｏｃｙｔｏｇｅｎｅｓ、Ｍｏｒａｘｅｌｌａ  ｃａｔａｒｒｈａｌｉｓ、Ｍｙｃｏｂａｃｔｅｒｉｕｍ  ｔｕｂｅｒｃｕｌｏｓｉｓ、Ｍｙｃｏｐｌａｓｍａ  ｐｎｅｕｍｏｎｉａｅ、Ｎｅｉｓｓｅｒｉａ  ｇｏｎｏｒｒｈｏｅａｅ、Ｎｅｉｓｓｅｒｉａ  ｍｅｎｉｎｇｉｔｉｄｅｓ、Ｐａｓｔｅｕｒｅｌｌａ  ｍｕｌｔｏｃｉｄａ、Ｐｒｏｔｅｕｓ  ｖｕｌｇａｒｉｓ、Ｐｒｏｔｅｕｓ  ｍｉｒａｂｉｌｉｓ、Ｐｓｅｕｄｏｍｏｎａｓ  ａｅｒｕｇｉｎｏｓａ、Ｐｓｅｕｄｏｍｏｎａｓ  ｐｕｔｒｅｆａｃｉｅｎｓ、Ｐｓｅｕｄｏｍｏｎａｓ  ｃｅｐａｃｉａ、Ｓａｌｍｏｎｅｌｌａ  ｔｙｐｈｉ、Ｓｈｉｇｅｌｌａ  ｄｙｓｅｎｔｅｒｉａｅ、Ｓｔａｐｈｙｌｏｃｏｃｃｕｓ  ａｕｒｅｕｓ、Ｓｔｒｅｐｔｏｃｏｃｃｕｓ  ｐｙｏｇｅｎｅｓ、Ｓｔｒｅｐｔｏｃｏｃｃｕｓ  ｐｎｅｕｍｏｎｉａｅ、Ｔｒｅｐｏｎｅｍａ  ｐａｌｌｉｄｕｍ、Ｙｅｒｓｉｎｉａ  ｐｅｓｔｉｓ、または  Ｖｉｂｒｉｏ  ｃｈｏｌｅｒａを含む）、リケッチア属（Ｃｌａｍｙｄｉａ  ｐｎｅｕｍｏｎｉａｅ、Ｃｈｌａｍｙｄｉａ  ｔｒａｃｈｏｍａｔｉｓ、Ｒｉｃｋｅｔｔｓｉａ  ｐｒｏｗａｚｅｋｉｉ、またはＲｉｃｋｅｔｔｓｉａ  ｔｙｐｈｉを含む）、リケッチア属（Ｃｌａｍｙｄｉａ  ｐｎｅｕｍｏｎｉａｅ、Ｃｈｌａｍｙｄｉａ  ｔｒａｃｈｏｍａｔｉｓ、Ｒｉｃｋｅｔｔｓｉａ  ｐｒｏｗａｚｅｋｉｉ、またはＲｉｃｋｅｔｔｓｉａ  ｔｙｐｈｉを含む）、ウイルス（はしかウイルス、ＨＩＶウイルス、Ｃ型肝炎ウイルス、Ｂ型肝炎ウイルス、デング熱ウイルス、西部ウマ脳炎ウイルス、東部ウマ脳炎ウイルス、ベネズエラウマ脳炎ウイルス、エンテロウイルス、インフルエンザウイルス、トリインフルエンザ、コロナウイルス、ＳＡＲＳコロナウイルス、ポリオウイルス、アデノウイルス、パラインフルエンザウイルス、ハンタウイルス、狂犬病ウイルス、アルゼンチン出血熱ウイルス、マチュポウイルス、サビアウイルス、グアナリトウイルス、コンゴ‐クリミヤ出血熱ウイルス、ラッサ出血熱ウイルス（Ｌａｓｓａ  Ｈｅｍｏｒｒｈａｇｉｃ  Ｆｅｖｅｒ  ｖｉｒｕｓ）、マールブルグウイルス（Ｍａｒｂｏｕｒｇ  ｖｉｒｕｓ）、エボラウイルス、リフトバレー熱ウイルス、キャサヌール森林病ウイルス、オムスク出血熱、黄熱ウイルス、天然痘ウイルス、レトロウイルス、サル痘ウイルス、および足および口疾患ウイルスを含む）、真菌類因子（Ｃｏｃｃｉｄｉｏｄｅｓ  ｉｍｍｉｔｉｓ、Ｃａｎｄｉｄａ  ａｌｂｉｃａｎｓ、Ｃｒｙｐｔｏｃｏｃｃｕｓ  ｎｅｏｆｏｒｍａｎｓ，Ｈｉｓｔｏｐｌａｓｍａ  ｃａｐｓｕｌａｔｕｍ、Ｂｌａｓｔｏｍｙｃｅｓ  ｄｅｍａｔｉｔｉｄｉｓ、Ｓｐｏｒｏｔｒｈｉｘ  ｓｃｈｅｎｋｉ、またはＡｓｐｅｒｇｉｌｌｕｓ  ｆｕｍｉｇａｔｅｓを含む）、寄生因子（Ｐｌａｓｍｏｄｉｕｍ  ｆａｌｃｉｐａｒｕｍ、Ｐｌａｓｍｏｄｉｕｍ  ｖｉｖａｘ、Ｐｌａｓｍｏｄｉｕｍ  ｏｖａｌｅ、Ｐｌａｓｍｏｄｉｕｍ  ｍａｌａｒｉａｅ、Ｔｏｘｏｐｌａｓｍａ  ｇｏｎｄｉｉ、Ｐｌａｓｍｏｄｉｕｍ  ｂｅｒｇｅｒｉ、Ｓｃｈｉｓｔｏｓｏｍａ  ｍａｎｓｏｎｉ、Ｓｃｈｉｓｔｏｓｏｍａ  ｈｅｍａｔｏｂｉｕｍ、Ｓｃｈｉｓｔｏｓｏｍａ  ｊａｐｏｎｉｃｕｍ、Ｅｎｔａｍｏｅｂａ  ｈｉｓｔｏｌｙｔｉｃａ、Ｂａｂｅｓｉａ、Ｔｏｘｏｐｌａｓｍａ  ｇｏｎｄｉｉ、Ｔｒｙｐａｎｏｓｏｍａ  ｃｒｕｚｉ、Ｌｅｉｓｈｍａｎｉａ  ｓｓｐ、Ｔｒｙｐａｎｏｓｏｍａ  ｂｒｕｃｅｉ、Ｔｒｉｃｈｉｎｅｌｌａ  ｓｐｉｒａｌｉｓ、Ｔｏｘｏｃａｒａ  ｃａｎｉｓ、Ｎｅｃａｔｏｒ  ａｍｅｒｉｃａｎｕｓ、Ｔｒｉｃｈｕｒｉｓ  ｔｒｉｃｈｕｒａ、Ｅｎｔｅｒｏｂｉｕｓ  ｖｅｒｍｉｃｕｌａｒｉｓ、Ｄｉｐｙｌｉｄｉｕｍ  ｃａｎｉｎｕｍ、Ｅｎｔａｍｏｅｂａ  ｈｉｓｔｏｌｙｔｉｃａ、Ｄｒａｃｕｎｃｕｌｕｓ  ｍｅｄｉｎｅｎｓｉｓ、Ｗｕｃｈｅｒｅｒｉａ  ｂａｎｃｒｏｆｔｉ、Ｂｒｕｇｉａ  ｍａｌａｉ、Ｂｒｕｇｉａ  ｔｉｍｏｒｉ、Ｓｔｒｏｎｇｙｌｏｉｄｅｓ  ｓｔｅｒｃｏｒａｌｉｓ、Ａｓｃａｒｉｓ  ｌｕｍｂｒｉｃｏｉｄｅｓ、Ｏｎｃｈｏｃｅｒｃａ  ｖｏｌｖｕｌｕｓ、Ｎａｅｇｌｅｒｉａ  ｆｏｗｌｅｒｉ、  Ｃｌｏｎｏｒｃｈｉｓ  ｓｉｎｅｎｓｉｓ、Ｃｒｙｐｔｏｓｐｏｒｉｄｉｕｍ  ｐａｒｖｕｍ、Ｌｅｉｓｈｍａｎｉａ  ｓｐｐを含む）、抗生物質抵抗性遺伝子、毒性または毒素産生能に関連する遺伝子、分子マーカー、一塩基多型、昆虫遺伝子、蜂疾患因子遺伝子、植物遺伝子、植物疾患試薬、病原性または発癌性条件を有する細胞に関連する分子マーカー、ミトコンドリアヌクレオチド配列、プラスミド配列、メッセンジャーＲＮＡ、リボソームＲＮＡ、または標的核酸のパネル等、に関連する標的核酸（ＤＮＡまたはＲＮＡのいずれか）のための前記液体試料を試験する検出化学品を有する、キット。
（項目２４）
マイクロ流体カートリッジの中への気泡の混入を制限しながら前記マイクロ流体カートリッジを浸潤させる方法であって、
（ａ）各液圧チャンバー中の液体を覆う弾性空圧液圧ダイアフラムが拡大して膨張し、それによって複数の前記液圧チャンバー中の前記液体を等圧で加圧するように、入口を通ってマイクロ流体カードの複数の液圧チャンバー中へ前記液体を送液すること、
（ｂ）各前記液圧チャンバーからの出口をバルブで開き、各前記出口が排気口付きの下流のマイクロ流体サブ回路に流体接続されること、
（ｃ）前記液体を実質的に等しい量で各前記浸潤可能な下流のマイクロ流体サブ回路に分割すること、を含む方法。
（項目２５）
マイクロ流体カートリッジの中に気泡の混入を制限しながら、乾燥試薬点を含むマイクロ流体カートリッジを浸潤させる方法であって、
（ａ）各液圧チャンバー中の液体を覆う弾性空圧液圧ダイアフラムが膨張し、それによって前記液体を等圧で加圧するように、入口を通ってマイクロ流体カードの複数の液圧チャンバー中へ前記液体を送液すること、
（ｂ）複数の下流の反応チャンバー中の第２ダイアフラムを加圧し、各前記下流の反応チャンバーが乾燥試薬点を含み、前記第２ダイアフラムが前記試薬点の周囲および上部を封止し、前記下流の反応チャンバーからヘッド空間の空気を排除するために一時的な保護カバーを形成すること、
（ｃ）各前記液圧チャンバーからの出口をバルブで開き、各前記出口が前記複数の下流の反応チャンバーのうちの１つに流体接続されること、
（ｄ）前記下流反応チャンバーを前記一時的なカバーの周囲で浸潤させ、前記膨張した弾性空圧液圧ダイアフラムを弛緩させることによって、前記反応チャンバーからあらゆる残留空気を排除し、前記液体が前進するメニスカスを形成すること、
（ｅ）場合によって、前記下流の反応チャンバーから下流のバルブを閉じること、
（ｆ）前記一時的なカバーを持ち上げて前記液体の残留部分を各反応チャンバー中に運び、それによって気泡の混入または試薬の流出なしに最高強度で前記試薬点を溶解すること、を含む方法。
（項目２６）
前記乾燥試薬点が緩衝剤、酵素、補酵素、補因子、ポリメラーゼ、プライマー、分子ビーコン、プローブ、蛍光団、脱水酵素、反応体、色原体、基質、抗体、抗原、または対照である項目２５に記載の方法。
（項目２７）
標的の１つまたは複数のアナライトをアッセイするための方法であって、実質的に気体不透過性である区画に密封的に閉じ込められた基板上液体試薬を有するマイクロ流体カートリッジを供給することを含み、前記液体試薬が実質的に脱気され、前記カートリッジが前記液体試薬をその中のマイクロ流体ワーク中に分配する手段を有し、前記脱気された液体試薬が混合、送液または加熱に伴う気泡の形成を防止または低減する方法。
（項目２８）
本願に開示され、または本願の明細書に個別にまたは集合的に示された装置、カード、カートリッジ、ステップ、特徴、要素、完全体、組成物および／または方法、および前記装置、カード、カートリッジ、ステップ、特徴、要素、完全体、組成物および／または方法の任意の１つ、または２つ以上および全ての組み合わせ。
以下の説明において、本発明のいくつかの態様および実施形態が明らかになるであろう。これらの態様および実施形態は単に例示および説明のためであり、本発明を制限しないことが理解されるであろう。他の特徴および利点は以下の詳細な説明から明らかになるであろう。
【図面の簡単な説明】
【００４０】
【図１】図１Ａおよび１Ｂは、本発明の廃棄可能な単一使用のサンプル−回答型のマイクロ流体カートリッジの２つの透視図を示し、カートリッジはアッセイのための全ての試薬を含み、生物試料の導入だけを必要とする。
【図２】図２は、アッセイを実行するためのホスト機器中のアッセイカートリッジの挿入を示す図である。
【図３】図３Ａは、ホスト機器の機構中に挿入されたカートリッジの詳細図である。機構は図３Ｂに示した加熱マニホルドおよび空圧制御インターフェースを含む。
【図４】図４は、液体試薬を運ぶ液体中心フォイルダイアフラムパックを備える廃棄可能なマイクロ流体カートリッジの展開図である。
【図５】図５Ａは、生物試料から核酸標的を抽出するためのマイクロ流体回路の透視図である。図５Ｂは、抽出プロセスの概要図である。
【図６】図６Ａ〜６Ｇは、液体試薬中心、および液体を破裂させてマイクロ流体装置の液圧ワークに放出するための針または「とげ」を備える二層二重ダイアフラムから形成された試薬貯蔵器の図である。
【図７】図７Ａおよび７Ｂは、ホスト機器に搭載される際に斜に傾斜されたマイクロ流体カートリッジを示す図である。
【図８Ａ】図８Ａおよび８Ｂは、マイクロ流体カートリッジ上でＰＣＲを実行するためのチャンネルおよびチャンバーのネットワークの虫瞰図であり、乾燥試薬の位置も記される。
【図８Ｂ】図８Ａおよび８Ｂは、マイクロ流体カートリッジ上でＰＣＲを実行するためのチャンネルおよびチャンバーのネットワークの虫瞰図であり、乾燥試薬の位置も記される。
【図８Ｃ】図８Ｃおよび８Ｄは、虫瞰図における代替のカートリッジ構成を示す図である。
【図８Ｄ】図８Ｃおよび８Ｄは、虫瞰図における代替のカートリッジ構成を示す図である。
【図９】図９Ａ〜９Ｌは、輸送マニホルドによる受動的な初期浸潤機構の概要図である。
【図１０Ａ】図１０Ａ〜１０Ｃは、試薬がＰＣＲの調製において再水和される輸送マニホルドの運転を示す。操作の流れは、図１０Ｄ〜１０Ｇで続けられる。
【図１０Ｂ】図１０Ａ〜１０Ｃは、試薬がＰＣＲの調製において再水和される輸送マニホルドの運転を示す。操作の流れは、図１０Ｄ〜１０Ｇで続けられる。
【図１０Ｃ】図１０Ａ〜１０Ｃは、試薬がＰＣＲの調製において再水和される輸送マニホルドの運転を示す。操作の流れは、図１０Ｄ〜１０Ｇで続けられる。
【図１０Ｄ】図１０Ｄ〜１０Ｇは、往復動ダイアフラム作用を備える二重チャンバーを用いるＰＣＲ増幅を示す図である。
【図１０Ｅ】図１０Ｄ〜１０Ｇは、往復動ダイアフラム作用を備える二重チャンバーを用いるＰＣＲ増幅を示す図である。
【図１０Ｆ】図１０Ｄ〜１０Ｇは、往復動ダイアフラム作用を備える二重チャンバーを用いるＰＣＲ増幅を示す図である。
【図１０Ｇ】図１０Ｄ〜１０Ｇは、往復動ダイアフラム作用を備える二重チャンバーを用いるＰＣＲ増幅を示す図である。
【図１１】図１１は、試薬を分配するために液体中心を備える二層二重ダイアフラムが用いられる、試料から核酸を抽出する方法のステップを説明する図である。
【図１２】図１２は、液体中心を備える二層二重ダイアフラムから分配された液体で液圧ワークのマイクロ流体チャンネルを呼び水する方法のステップを示す図である。
【図１３】図１３は、気泡の混入なしに乾燥試薬を再水和するための方法のステップを示す図である。
【図１４Ａ】図１４Ａおよび１４Ｃは、逆転写酵素介在ＰＣＲのためのマイクロ流体チャンネルおよびチャンバーのネットワークの虫瞰図である。
【図１４Ｂ】図１４Ｂは、ｃＤＮＡの生成のためのインラインチャンバーの詳細図である。
【図１４Ｃ】図１４Ａおよび１４Ｃは、逆転写酵素介在ＰＣＲのためのマイクロ流体チャンネルおよびチャンバーのネットワークの虫瞰図である。
【図１４Ｄ】図１４Ｄおよび１４Ｅは、改変された特徴を備えるカートリッジの代替構成を示す図である。
【図１４Ｅ】図１４Ｄおよび１４Ｅは、改変された特徴を備えるカートリッジの代替構成を示す図である。
【図１５】図１５は、蛍光終点を監視するための本発明の装置の検出チャンバーの光学窓の使用を示す図である。
【図１６】図１６は、ＰＣＲを実行するための２ピースマイクロ流体カード組み立て体および互換性のあるホスト機器とカードとのインターフェースをとるためのガスケットを備える空圧インターフェースのさらに詳細を示す図である。
【図１７】図１７は、反応混合物の温度を高くしながら、試料の複数走査を含む、カートリッジの検出チャンバーにおける正および負の蛍光アッセイを示すプロット図である。
【図１８】図１８Ａおよび１８Ｂは、図１７のプールされたデータの解析である。互換性のあるホスト機器とのインターフェースをとる場合、分子ビーコン−アンプリコン二重体のスキャンはカートリッジのＦＲＥＴ溶融曲線能力を示す。
【図１９】図１９は、互換性のあるホスト機器とともに用いられるときに本発明の装置で得られたアンプリコンのＦＲＥＴデータを示す。
【発明を実施するための形態】
【００４１】
以下の詳細説明は説明のための特定の詳細を含むが、当業者であれば、以下の詳細に対する多くの変形および代替が特許請求された発明の範囲内であることを理解するであろう。以下の定義は特許請求された発明を説明する助けとして記載される。
定義
「カートリッジ」はホスト機器中に挿入することによって運転するために設計された分析装置である。ホスト機器はアッセイの実行のために空圧圧力、パルス、および検出手段を供給する。カートリッジは液圧ワークおよび空圧ワークを含み、埋め込まれたマイクロ流体チャンネルおよびチャンバーを備える埋め込まれたマイクロ流体「カード」を含むことができる。試料および試薬液体はカートリッジまたはカードの液圧ネットワーク中に送られる。流体の流れは選択された接合、チャンネル、およびチャンバーで液圧とインターフェースをとる空圧ネットワークによって制御および駆動される。典型的にカートリッジまたはカードの本体は可撓性プラスチックから作られ、積層、成型、またはその組み合わせによって形成することができる。プラスチックは、ポリカーボナート、ポリエチレンテレフタラート、環状ポリオレフィン、アクリラート、メタクリラート、ポリスチレン、グラフトコポリマーおよびブロックコポリマー、およびその複合体を含むことができるが、制限されない。好ましいカートリッジはロール材（ｒｏｌｌｓｔｏｃｋ）から作られ、その上に印刷された乾燥試薬を含む。
【００４２】
装置の「液圧ワーク」：アッセイの過程の中で試料または液体試薬によって浸潤されることを意図する連絡チャンネルおよびチャンバーのネットワークまたは複数のネットワークを含む。液圧ネットワークはアッセイのステップを実行するためのマイクロ流体サブ回路で構成される。
【００４３】
装置の「空圧ワーク」：空圧的に起動されるバルブ、ポンプ、ダイアフラムおよび装置の液圧を駆動し制御するのに有用な相互接続回路およびマニホルドのネットワークまたは複数のネットワークを含む。カートリッジ装置の空圧ワークはホスト機器上の正および負の圧力源、およびバルブ、ダイアフラム、ポンプ、および液圧ワーク中の液体を制御し駆動する他の空圧的に起動される要素とインターフェースをとる。
【００４４】
装置の「マイクロ流体ワーク（ｍｉｃｒｏｆｌｕｉｄｉｃ  ｗｏｒｋ）」：アッセイの過程において浸潤された内部チャンネルおよびチャンバーのネットワークまたは複数のネットワークから形成される液圧ワーク、および、ホスト機器上の正および負の圧力源によって動かされる回路を駆動するバルブ制御およびポンプから形成される空圧ワークを含む。
【００４５】
マイクロ流体ワークは、マイクロ流体サブ回路に分割することができ、各サブ回路は液体試料または試薬に特定の機能を実行するためのチャンネルおよびチャンバーを含む。マイクロ流体サブ回路は直列のサブ回路（核酸標的または複数の標的の抽出、増幅および検出など）および試料の分割によって単一試料上の複数の標的の同時アッセイなどのための並列のサブ回路およびネットワークに編成することができる。
【００４６】
「頂部（ｔｏｐ）」、「底部（ｂｏｔｔｏｍ）」、「上へ（ｕｐ）」、「下へ（ｄｏｗｎ）」、「上部（ａｂｏｖｅ）」、「下部（ｂｅｌｏｗ）」、「上方へ（ｕｐｗａｒｄ）」、「下方へ（ｄｏｗｎｗａｒｄ）」、「優れた（ｓｕｐｅｒｉｏｒ  ｔｏ）」、「床（ｆｌｏｏｒ）」、「天井（ｒｏｏｆ）」、等は、交差する配管線に直交する「基面（ｇｒｏｕｎｄ  ｐｌａｎｅ）」などの特定の参照枠が参照されない限り、相対位置を示すもので絶対位置ではない。
【００４７】
「浸潤」（ｗｅｔ  ｏｕｔ）はカートリッジの液圧ワークの内部のプラスチック表面の初期水和を指す。界面張力効果のため、初期浸潤は大きなエネルギー障壁の克服を含み、これらの装置における毛管流れに対する抵抗の主要要因である。
【００４８】
「標的アナライト」：または「対象アナライト」または「標的分子」は、核酸、プロテイン、抗原、抗体、炭水化物、細胞成分、リピド、リセプタリガンド、薬品などの小さな分子等を含むことができる。標的核酸は、遺伝子、遺伝子の一部、遺伝子の規則的配列、ｍＲＮＡ、ｒＲＮＡ、ｔＲＮＡ、ｓｉＲＮＡ、ｃＤＮＡを含み、単一ストランド、二重ストランド、三重ストランドとすることができる。いくつかの核酸標的は多形、一塩基多形、対立性変異体などの欠失および交互分割順序を有する。複数の標的ドメインは単一分子中に存在することができ、例えば免疫原は複数の抗原決定子を含むことができる。抗体は可変領域、不変領域、および抗体の不動化に有用なＦｃ領域を含む。標的アナライトは製造されたカートリッジには一般に提供されないが、アッセイされる液体試料中に含まれ、対照的に、典型的に「対照アナライト」がカートリッジに提供され、または特定の型の試料中に定常的に存在し、アッセイの適切な実行を確保するためにアッセイされる。当分野において周知のように、スパイクされた試料をいくつかの品質管理試験および較正のために用いることができる。
【００４９】
「増幅手段」：その祖父時代の技術はポリメラーゼ連鎖反応（ＰＣＲと呼ばれる）であり、米国特許第４，６８３，１９５号、第４，６８３，２０２号、第４，８００，１５９号、Ａｕｓｕｂｅｌら（Ｃｕｒｒｅｎｔ  Ｐｒｏｔｏｃｏｌｓ  ｉｎ  Ｍｏｌｅｃｕｌａｒ  Ｂｉｏｌｏｇｙ，Ｊｏｈｎ  Ｗｉｌｅｙ  ａｎｄ  Ｓｏｎｓ，Ｂａｌｔｉｍｏｒｅ，Ｍｄ．１９８９）およびＩｎｎｉｓら（“ＰＣＲ  Ｐｒｏｔｏｃｏｌｓ”，Ａｃａｄｅｍｉｃ  Ｐｒｅｓｓ，Ｉｎｃ，Ｓａｎ  Ｄｉｅｇｏ  Ｃａｌｉｆ．，１９９０）に詳細が記載される。ポリメラーゼ連鎖反応の方法論は熱サイクルを必要とし、当分野に周知である。簡単に言えば、ＰＣＲにおいて、標的配列の反対の相補ストランド上の領域に相補的である２つのプライマー配列が調製される。過剰のデオキシヌクレオシドトリフォスファートがＤＮＡポリメラーゼ、例えばＴａｑポリメラーゼと一緒に反応混合物に加えられる。標的配列が試料中に存在する場合、プライマーは標的に結合し、ポリメラーゼはヌクレオチドに添加することによってプライマーをマーカー配列に沿って伸長させるであろう。反応混合物の温度を上下することによって、伸長したプライマーはテンプレートから解離して反応生成物を形成し、過剰のプライマーはテンプレートおよび反応生成物に結合し、反応は繰り返される。蛍光挿入剤を加えることによって、ＰＣＲ生成物は実時間で検出することができる。
【００５０】
他の増幅実験記録はＬＡＭＰ（ＤＮＡのループ介在等温増幅）逆転写ポリメラーゼ連鎖反応（ＲＴ−ＰＣＲ）、リガーゼ連鎖反応（「ＬＣＲ」）、転写に基づく増幅システム（ＴＡＳ）、核酸配列に基づく増幅（ＮＡＳＢＡ）を含み、「回転サークル（Ｒｏｌｌｉｎｇ  Ｃｉｒｃｌｅ）」、「ＲＡＣＥ」および「片側ＰＣＲ」（「非対称ＰＣＲ」とも称される）も用いることができ、検出可能なプローブに対するストランド相補性が過剰に合成される利点を有する。
【００５１】
これらのさまざまな非ＰＣＲ増幅の実験報告は診断アッセイにおいてさまざまな利点を有するが、ＰＣＲは分子生物学研究所および臨床診断において働き馬に留まる。マイクロ流体ＰＣＲについて本明細書に開示された実施形態は、１つ以上のさまざまな増幅実験方向を実施することの可能な一般的なマイクロ流体装置の代表および例であると考えられる。
【００５２】
典型的に、核酸増幅または伸長は、増幅反応を実行するための反応成分を含む「マスター混合物」と異なる配列を有することのできる１つ以上の標的核酸を混合し、この反応混合物を標的核酸の増幅を可能にする温度条件に露出することを含む。マスター混合物中の反応成分は反応混合物のｐＨを制御することのできる緩衝剤、核酸の合成に必要なエネルギーとヌクレオシドを提供する１つ以上の天然ヌクレオチド（しばしば等しい濃度で存在するＡ、Ｃ、Ｇ、およびＴまたはＵに相当）、核酸合成の開始を促進するためにテンプレートに結合するプライマーまたは対のプライマー、および合成されている相補核酸ストランドにヌクレオチドを加えるポリメラーゼを含むことができる。しかし、増幅のための手段は、核酸標的を検出する助けとして、Ｐｒｕｄｅｎｔの米国特許第７，５１４，２１２号、およびＭａｒｓｈａｌｌの米国特許第７，５１７，６５１号、および第７，５４１，１４７号などに説明された改質された、または「非標準的な」または「非天然」ベースの使用を含む。
【００５３】
本明細書中に用いられる「検出のための手段」：終点、すなわち、アッセイの結果を表示するための装置を指し、品質的または量的とすることができ、分光光度計、蛍光計、照度計、光電子増倍管、光ダイオード、比濁度計、光子カウンタ、電圧計、電流計、ｐＨ計、容量センサ、無線周波数送信機、磁性抵抗計、またはホール効果装置を装備する機械を含むことができる。カバープレート中の拡大レンズ、光学フィルタ、着色流体および標識プローブを用いて検出およびアッセイ結果の説明に用いることができる。「標識」または「タグ」は、発色団およびフルオロフォア、および従来技術に知られた化学発光などの染料を含むが、制限されない。磁性ビーズ上に修飾され、ＺｎＳでコートされたＣｄＳｅなどのＱＤｏｔｓ、およびＱＤｏｔｓのアマルガム化および常磁性Ｆｅ３Ｏ４マイクロ粒子は、本発明のアッセイの感度を改善する便利な方法である。また、蛍光消光検出終点も論じられる。また、酵素結合イムノアッセイに伴うさまざまな基質および生成物の発色団は当分野において周知であり、例えば「アップコンバートする」フルオロフォアなど、アッセイの感度を改善するために、検出信号の増幅のための手段を提供する。
【００５４】
「分子ビーコン」：は、溶液中に特定の核酸の存在を報告するように設計された単一ストランドのヘアピン形状オリゴヌクレオチドプローブである。分子ビーコンは、ステム、ヘアピンループ、終点標識フルオロフォア、および対向終点標識消光剤の４つの成分からなる。ヘアピン状のビーコンが標的に結合しないとき、フルオロフォアおよび消光剤は互いに近接して位置し、蛍光は抑圧される。相補的な標的ヌクレオチド配列の存在において、ビーコンのステムが開いて標的に混成される。これはフルオロフォアと消光剤を分離し、フルオロフォアの蛍光を発光させる。替りに、分子ビーコンは終点標識ドナーの近くで発光するフルオロフォアを含む。「波長移動分子ビーコン」は、フルオロフォアがより強く発光可能にする追加のハーベスタフルオロフォアを組み込む。分子ビーコンの現在の概説はＷａｎｇ  Ｋら、２００９、ＤＮＡの分子技術：分子ビーコンを含む。Ａｎｇｅｗ  Ｃｈｅｍ  Ｉｎｔ  Ｅｄ  Ｅｎｇｌ、４８（５）：８５６〜８７０、Ｃｉｓｓｅｌｌ  ＫＡら、２００９、Ｒｅｓｏｎａｎｃｅ  ｅｎｅｒｇｙ  ｔｒａｎｓｆｅｒ  ｍｅｔｈｏｄｓ  ｏｆ  ＲＮＡ  ｄｅｔｅｃｔｉｏｎ、Ａｎａｌ  Ｂｉｏａｎａｌ  Ｃｈｅｍ  ３９３（１）：１２５〜３５、およびＬｉ  Ｙら、２００８、Ｍｏｌｅｃｕｌａｒ  Ｂｅａｃｏｎｓ：ａｎ  ｏｐｔｉｍａｌ  ｍｕｔｉｆｕｎｃｔｉｏｎａｌ  ｂｉｏｌｏｇｉｃａｌ  ｐｒｏｂｅ、Ｂｉｏｃｈｅｍ  Ｂｉｏｐｈｙｓ  Ｒｅｓ  Ｃｏｍｍ３７３（４）：４５７〜６１。最近の進歩は、Ｃａｄｙ  ＮＣ、２００９、Ｑｕａｎｔｕｍ  ｄｏｔ  ｍｏｌｅｃｕｌａｒ  ｂｅａｃｏｎｓ  ｆｏｒ  ＤＮＡ  ｄｅｔｅｃｔｉｏｎ。Ｍｅｔｈｏｄｓ  Ｍｏｌ  Ｂｉｏｌ  ５５４：３６７〜７９を含む。
【００５５】
蛍光核酸アッセイは標識付きプライマーの増幅およびプローブに基づく検出化学を含む。蛍光生成物はアッセイの終りに、または実時間で増幅された生成物の量を測定することによってアッセイすることができる。制限するものではないが、中でも、３’消光剤構造による５’レポーター色素の置換とポリメラーゼ媒介加水分解に依存するＴａｑＭａｎ  Ｐｒｏｂｅ（Ａｐｐｌｉｅｄ  Ｂｉｏｓｙｓｔｅｍ）、ＦＲＥＴ混成プローブ、二重オリゴＦＲＥＴに基づくプローブ（Ｒｏｃｈｅ）、マイナーグルーブバインダー共役混成プローブ（ＭＧＢプローブ、Ａｐｐｌｉｅｄ  Ｂｉｏｓｙｓｔｅｍｓ），Ｅｃｌｉｐｓｅプローブ、Ｌｏｃｋｅｄ  ＮＡ  プローブ（Ｅｘｉｑｏｎ／Ｒｏｃｈｅ）、Ａｍｐｌｉｆｌｕｏｒ  ｐｒｉｍｅｒ  ｃｈｅｍｉｓｔｒｉｅｓ、Ｓｃｏｒｐｉｏｎｓ  ｐｒｉｍｅｒ  ｃｈｅｍｉｓｔｒｉｅｓ、ＬＵＸ  ｐｒｉｍｅｒｓ、Ｑｚｙｍｅ  ｐｒｉｍｅｒｓ、ＲＴ−ＰＣＲ、は全て本発明に適している。蛍光プローブは、Ｓｙｂｅｒ  Ｇｒｅｅｎ（登録商標）（Ｍｏｌｅｃｕｌａｒ  Ｐｒｏｂｅｓ）、臭化エチジウム、またはチアゾールオレンジ、ＦＲＥＴプローブ、ＴａｑＭａｎプローブ（登録商標）（Ｒｏｃｈｅ  Ｍｏｌｅｃｕｌａｒ  Ｓｙｓｔｅｍｓ）、分子ビーコンプローブ、Ｂｌａｃｋ  Ｈｏｌｅ  Ｑｕｅｎｃｈｅｒ（商標）（Ｂｉｏｓｅａｒｃｈ  Ｔｅｃｈｎｏｌｏｇｙ）、ＭＧＢ−Ｅｃｌｉｐｓｅ（登録商標）プローブ（Ｎａｎｏｇｅｎ）、Ｓｃｏｒｐｉｏｎ（商標）（ＤｘＳ  Ｌｔｄ）プローブ、ＬＵＸ（商標）プライマープローブ（Ｉｎｖｉｔｒｏｇｅｎ）、Ｓｕｎｒｉｓｅ（商標）プローブ（Ｏｎｃｏｒ）、ＭＧＢ−Ｐｌｅｉａｄｅｓ（ｎａｎｏｇｅｎ）等の挿入プローブを含む。プローブ技術における最近の進歩は、例えば、Ｌｕｋｈｔａｎｏｖ  ＥＡら、２００７、Ｎｏｖｅｌ  ＤＮＡ  ｐｒｏｂｅｓ  ｗｉｔｈ  ｌｏｗ  ｂａｃｋｇｒｏｕｎｄ  ａｎｄ  ｈｉｇｈ  ｈｙｂｒｉｄｉｚａｔｉｏｎ−ｔｒｉｇｇｅｒｅｄ  ｆｌｕｏｒｅｓｃｅｎｃｅ、Ｎｏｖｅｌ  ＤＮＡプローブ、Ｎｕｃｌ  Ａｃｉｄｓ  Ｒｅｓ３５：ｅ３０に概説される。逆転写はＲＮＡ標的の解析に用いられ、別のステップでｃＤＮＡを形成する必要がある。最近の進歩は、Ｋｒａｓｎｏｐｅｒｏｖ  ＬＮら、［２０１０、Ｌｕｍｉｎｅｓｃｅｎｔ  ｐｒｏｂｅｓ  ｆｏｒ  ｕｌｔｒａｓｅｎｓｉｔｉｖｅ  ｄｅｔｅｃｔｉｏｎ  ｏｆ  ｎｕｃｌｅｉｃ  ａｃｉｄｓ、Ｂｉｏｃｏｎｊｕｇ  Ｃｈｅｍ  ２０１０  Ｊａｎ１９  ｅｐｕｂ］を含む。
【００５６】
化学染料に加えて、プローブはグリーン蛍光プロテイン、量子ドット、およびナノドットを含み、これらは全て蛍光である。核酸や抗体などの分子、およびアッセイ標的に親和性を有する他の分子はフルオロフォアで標識を付けて本発明の蛍光アッセイに有用なプローブを形成することができる。
【００５７】
「ＦＲＥＴ」（蛍光共鳴エネルギー移動）は、分子相互作用の研究を可能にする蛍光技術である。それは、２つの分子が混成の時のように近接する時、１つのフルオロフォアから他のフルオロフォアへのエネルギーの移動に依存する（すなわち、ドナーおよび消光剤）。最近の進歩はＣａｒｍｏｎａ  ＡＫら、２００９、Ｔｈｅ  ｕｓｅ  ｏｆ  ｆｌｕｏｒｅｓｃｅｎｃｅ  ｒｅｓｏｎａｎｃｅ  ｅｎｅｒｇｙ  ｔｒａｎｓｆｅｒ（ＦＲＥＴ）ｐｅｐｔｉｄｅｓ  ｆｏｒ  ｍｅａｓｕｒｅｍｅｎｔ  ｏｆ  ｃｌｉｎｉｃａｌｌｙ  ｉｍｐｏｒｔａｎｔ  ｐｒｏｔｅｏｌｙｔｉｃ  ｅｎｚｙｍｅｓ、Ａｎｎ  Ａｃａｄ  Ｂｒａｓ  Ｃｉｅｎｃ８１（３）：３８１〜９２を含む。
【００５８】
文脈が要求しない限り、以下の明細書および請求項を通して、用語「含む（ｃｏｍｐｒｉｓｅ）」、および「含む（ｃｏｍｐｒｉｓｅｓ）」や「含む（ｃｏｍｐｒｉｓｉｎｇ）」など、その変形は開放され、包含、すなわち「含むが制限しない」の意味に解釈される。この明細書を通して、「一つの実施形態（ｏｎｅ  ｅｍｂｏｄｉｍｅｎｔ）」、「一実施形態（ａｎ  ｅｍｂｏｄｉｍｅｎｔ）」、「一つの態様（ｏｎｅ  ａｓｐｅｃｔ）」または「態様（ａｎ  ａｓｐｅｃｔ）」の参照は、実施形態または態様に関して説明される特定の特徴、構造または特性が、必ずしも本発明の全ての実施形態ではなく、１つの実施形態を含むことができることを意味する。さらに、本明細書に開示される本発明の特徴、構造、特性は適切に１つ以上の実施形態に任意に組み合わせることができる。「従来の（ｃｏｎｖｅｎｔｉｏｎａｌ）」は、本発明が関係する従来技術に既知であることを指す用語である。「約（ａｂｏｕｔ）」、および「一般に（ｇｅｎｅｒａｌｌｙ）は不正確さの広い表現であり、「多かれ少なかれ（ｍｏｒｅ  ｏｒ  ｌｅｓｓ）」、「概略（ａｐｐｒｏｘｉｍａｔｅｌｙ）」、または「だいたい（ｊｕｓｔ  ａｂｏｕｔ）」の意味で「ほとんど（ａｌｍｏｓｔ）」である状態を説明するもので、変形は、無意味な、明らかな、または等しく有用な、または等しい機能であり、標準、規準、または制限に対して明らかに僅かな例外の存在をさらに示す。
【００５９】
図面の説明
図面に戻って、図１Ａおよび１Ｂは本発明の廃棄可能な、単一使用の、サンプル−回答型のマイクロ流体カートリッジの２つの透視図を示し、カートリッジはアッセイのための全ての試薬を含み生物試料の導入だけを必要とする。この代表的実施形態において、カートリッジ１００は取り扱いにおける利便性のためにカバープレート１０３を備える保護架台または本体１０２を含む。カバープレートは試料添加のための入口ポート１０４を含み収容する。カートリッジの突出ノーズ１０５はホスト機器のドッキングベイ中に挿入される（図２）。カートリッジ本体の突出ノーズは、それを制限しないが、ホスト機器に挿入されるとき、標的の反射照明および蛍光検出のためにドッキングベイの裏面ミラーに整列した光学窓切り欠き１０１を含む。また、カートリッジの下側には、マイクロ流体カートリッジのゾーンを加熱するための熱伝導部１１０、およびカートリッジをドッキングベイ中のホスト機器の空圧制御インターフェースに密封的に着座させる廃棄可能なガスケット１１１がある。カートリッジ本体は図１６に示すようにマイクロ流体カードを含むことができるが、マイクロ流体ワークは場合によってカートリッジ本体に一体化することができる。
【００６０】
図２はホスト機器２００のドッキングベイ２０１へのアッセイカートリッジ１００の可逆的挿入（二重矢印）を示す。アッセイの実行は示されるように一般にオペレーターインターフェースで制御される。光学窓１０１はホスト機器の架台２０２内部の検出装置に整列する。
【００６１】
図３Ａはホスト機器の機構中に挿入されたカートリッジの詳細図である。傾斜した搭載プレート３００は機構（およびカートリッジ）を固定角度θ（図７Ｂ参照）で傾斜させるのに用いられ、これは初期浸潤の間の空気および気泡混入の排気に役立つ。ホスト機器は、軌道に搭載された走査検出ヘッド３０３およびカートリッジの光学窓１０１とインターフェースをとるためのモーター付きクランプ機構３０４を備える光学組み立て体を含む。光学組み立て体およびドッキングベイは傾斜した搭載プレートにボルト締めされた浮遊台の部分として搭載されるが、カートリッジが熱制御モジュール３１０および空圧インターフェースポート３３０にクランプできるように、図３Ｂに示されるように懸垂搭載される。ホスト機器、ドッキングベイ、および光学パッケージのさらなる説明は、「ＰＯＲＴＡＢＬＥ  ＨＩＧＨ  ＧＡＩＮ
ＦＬＵＯＲＥＳＥＮＣＥ  ＤＥＴＥＣＴＩＯＮ  ＳＹＳＴＥＭ」の名称の同時係属国際特許出願公開第ＷＯ２０１０／０８８５１４号に提供され、その全てを参照して本願に組み込まれている。
【００６２】
熱制御モジュール３１０および１０個の空圧ポートを備える空圧制御インターフェース３３０は傾斜した搭載プレート３００の部分図を含む図３Ｂにより詳細に示される。カートリッジの下側（熱伝導部として熱伝導性ポリマーの薄い層で封止される）は、第１、第２、第３および第４「ゾーン」の加熱要素（３１１、３１２、３１３、３１４）の上部表面に接触する。冷却のためにファン３１５が提供される。第１加熱要素の上部面にはミラー面３２０が設けられ、ドッキングベイに整列されるとき、カートリッジの光学窓１０１を通る透過照明および反射光および／または蛍光発光を捕捉するために、ホスト機器の光学系と一緒に作動する。
【００６３】
図４は、脆い液体貯蔵器中の基板上（ｏｎ−ｂｏａｒｄ）の液体試薬を備える廃棄可能なマイクロ流体カートリッジ１００の展開図である。各試薬貯蔵器は液体試薬を運ぶ二層の二重ダイアフラムパックである。カートリッジ架台は筺体内の分離したウェル４２６中の試薬貯蔵器（４２１、４２２、４２３、４２４）を支持する。本明細書に示されるカートリッジはＰＣＲ用に設計されたカートリッジであり、４つの液体試薬を含む。カートリッジ架台１０２の前方ノーズ１０５上の光学窓切り欠き１０１が再び図示される。また、カバープレート１０３の下部の架台の内部にはアッセイ中に発生した液体廃棄物を隔離するための吸収パッド４３０がある。カートリッジ１００は廃棄可能であり生物危害廃棄物の喪失を防ぐために封止される。装置のカバー蓋１０３上の試料入口１０４は装置において唯一の外部からアクセス可能な流体ポートである。全ての試薬（あらゆる乾燥試薬およびあらゆる液体試薬または再水和流体）は装置の構造内に提供される。
【００６４】
カートリッジ架台の下側に、マイクロ流体ワークを含む２つの「カード」、「基板外カード（ｏｕｔｂｏａｒｄ  ｃａｒｄ）」４１０および「基板内カード（ｉｎｂｏａｒｄ  ｃａｒｄ）」４００が提供される。これらのカードは積層および／または成型層で組み立てられ、ＰＣＲアッセイ用に設計された液圧および空圧ネットワークを含む。これらは一般に可撓性でありポリエチレンテレフタラートおよびポリカーボナートなどのプラスチックから作られるが、それに制限されない。ディスク４０９は試料から核酸の抽出に用いられるガラス固相吸収剤である。シールパッチ４２５は固相ディスク４０９の装着後に基板外カードの液圧ワークを封止するために必要である。
【００６５】
基板外カード４１０は、液体試薬貯蔵器４２１、４２２、４２３、４２４および固相吸収ディスク４０９と一緒に作動する流体回路を含み、図５Ｂに示される実験計画によって核酸を抽出する。基板内カード４００は２つのカード４００および４１０の間の流体インターフェース（カード接合を形成するための重なり合う舌４１１ａ／４１１ｂ）を経由して精製された核酸を受容し、カードに埋設されたマイクロ流体の液圧ネットワーク内で増幅および検出を行う。基板内カードは、カード本体内に封入された検出チャンバーの頂部および底部を封止する検出窓１０１ａを形成する薄い表面フィルムを含む。これらのチャンバーは５０μＬ未満の流体を含み、図３Ｂの加熱ブロックと接触することによって加熱される。ガスケット１１１はカードの舌４１１ｂの基板内カードの下部表面に対して空圧制御インターフェースを封止するために提供され、マイクロ流体装置内のホスト機器の空圧分配マニホルドに接続し伸長させる。
【００６６】
図５Ａは、カートリッジ架台および液体試薬貯蔵器とインターフェースをとり生物試料から核酸標的を抽出する基板外カード４１１の透視図であり、図５Ｂは抽出プロセスの概要図である。Ｂｏｏｍ法（米国特許第５，２３４，８０９号）に基づく抽出プロセスにおいて、試料は最初にカオトロピック剤と界面活性剤の混合物からなる溶解緩衝剤と混合され、固相吸収剤４０９と接触する。廃棄物に運ばれる複数の洗浄緩衝剤の分割量で洗浄の後、吸収された核酸５０１は希釈した緩衝剤溶液で溶離され、舌４１１ａの下部の流体連絡ポートシステムを通って基板内カード４００上の輸送マニホルドに運ばれる（白抜き矢印、図７Ａへ）。この輸送マニホルドの液体内容物は以下に説明するように核酸増幅のために用いられる。抽出の各ステップにおいて、液体試薬が必要である。各液体試薬は液体中心を備える二層箔ダイアフラム中に保存され、液体は、二層ダイアフラムを針に対して動かす空圧アクチュエータの制御下で放出され、この針が、ダイアフラムの下部層（だけ）を破裂させ、カードの液圧ワーク中に液体を駆動する。このプロセスは図６Ａ〜６Ｇに示される。
【００６７】
図６Ａ〜６Ｇは、貯蔵器の下部に配設された液体試薬中心６０１および「針」６１０または「とげ」を有する二層（すなわち２つの層）ダイアフラム（層６０２、６０３）から形成された試薬貯蔵ポーチ６００のさまざまな図を提供し、ウェル４２６とともに形成され、封止された内部チャンバー６１５中で、針の先端は２つのダイアフラム層６０３ａ／６０３ｂの下部に対して上方に向く。液体内容物を破裂させてマイクロ流体カートリッジまたはカードの液圧ワーク中に放出する針部材６１０が形成される。
【００６８】
図６Ａは液体中心を囲む２つのダイアフラム層からなる流体充填されたポーチまたは貯蔵器を示す。２つの層は図６Ｂおよび６Ｃのポーチを通る断面で示される。層６０２と６０３は液体中心６０１を囲む。２つの層は縁部６０４で封止される。ポリエステルおよび他のプラスチック層で被覆された箔がダイアフラム層６０２、６０３を形成するのに用いられる。頂部層６０２は一般に強靭であり、可撓性で破裂に抵抗する。対照的に、底部層６０３は針６１０によって破裂され、ここでは尺度なしに示された試薬出口チャンネル６１１（図６Ｄ）を経由してその内容物をカートリッジのマイクロ流体ワーク中に放出するように設計される。図６Ｂは、封止された縁部６０４ａを備える、液体中心６０１ａを囲む、ダイアフラム層６０２ａおよび６０３ａによる両凸状貯蔵器を示し、図６Ｃは、封止された縁部６０４ｂを備える、液体中心６０１ｂを囲む、ダイアフラム層６０２ｂおよび６０３ｂによる平凸状貯蔵器を示し、各々組み立ておよび使用において特に有利である。
【００６９】
図６Ｄにおいて、試薬貯蔵器は、カートリッジ筺体の試薬チャンバー６１５中の液体中心６０１を囲む二重ダイアフラムとして搭載されて示される。リップシール６０５は液圧ワーク６１２から空圧ワーク６０６を分離する。これに制限されるものではないが、リップシール６０５はＵＶ活性化接着剤による接着または当分野で既知の他の封止方法によって形成することができる。空圧制御ポート６０７を通る空気によって加圧されるとき、二重ダイアフラム組み立て体（６００）の下部表面は、底部フィルム層６０３は破裂するが頂部フィルム層６０２は破裂しないように、針６１０に向かって押される（図６Ｂ〜６Ｃ）。このようにして、機構は微小寸法の空圧ダイアフラム起動液体分配器になる。驚くべきことに、液体中心が穿孔されると、連続的な空圧パルスを用いて出口チャンネル６１１を通って連続的なマイクロリットルの液体を液圧ワーク中に動かすことができる。試薬出口チャンネル６１１は、浸潤、混合、溶離等に依存するアッセイ反応に関わる液圧ネットワークのチャンネルおよびチャンバーに流体連絡する。プラスチックカバー層６１６および６１７は、チャンバー６１５を封止する。
【００７０】
図６Ｅ〜６Ｇは、下部フィルム層６０２の破裂が針の輪郭の周りを自動封止しないように設計された針部材６１０の詳細図を提供する。図６Ｅは正面立面図であり、図６Ｆは側部立面図であり、図６ＧはＣＡＤ描画の等角図である。示された正確な形状および詳細寸法に制限されないが、針は二等分された円錐６２０、またはとげ先端６２１を有する円錐の錐台、突出する凸状第２ファセット６２３の成型された追加によって修正される平坦な第１面６２２、および出口チャンネル６１１の口を形成する窪んだ凹状の第３ファセット６２４として形成される。針の突出する先端中に繊細に成型された窪み（窪んだ第３ファセット６２４）は、特に第２ファセット６２３の雄の凸状と組み合わせて、ダイアフラム６０３中の破裂を閉じるフィルム層の傾向を乱し、したがって、液体中心ダイアフラムを穿孔し排出するために形成された本質的に空圧的に起動された「栓」としての運転を確実にする。栓は開放を維持し、流体は制御されたポート６０７を経由して加えられた空圧圧力に応答して自由に流れる。パン６２５は貯蔵器の流体を出口チャンネル６１１に排出するのを助ける。
【００７１】
多くの実験の後、破られた円錐のとげ先端６２１が０．００４〜０．００４５インチの半径にされる時、針の穿孔動作は最も有利に効果的であることが見出され、この特徴のための好ましい半径は０．００４インチ（インチの千分の４インチ）である。比較によってこの範囲外の針が効率的であるとは見出されなかった。場合によって、本発明のマイクロ流体カートリッジは試薬貯蔵器を穿孔するための針を有し、針が円錐の錐台部分であり、円錐は二重ダイアフラムの破裂感受性のある層を選択的に穿孔するための先端を備えて形成され、先端は０．００４０〜０．００４５インチの半径の切断点を有することを特徴とすることができる。
【００７２】
円錐の錐台部分には平坦な第１ファセット、平坦な第１ファセット上に形成された凸状第２ファセット、および凹状第２ファセット上に形成された凹状第３ファセットが設けられ、凹状第３ファセットは、そこから下がって放出された液体を液圧ワーク中に排出する流体出口の口を形成する。
【００７３】
液体中心を備える試薬貯蔵器の好ましい実施形態において、二重層ダイアフラムの第１層は破裂抵抗性があり、針に近い第２層は破裂に感受性がある。第１層は破裂抵抗性があるように構成された外側のナイロンフィルムで積層されたポリマーとすることができ、第２層は破裂に感受性のある外側のポリエチレンテレフタラートフィルムで積層されたポリマーとすることができる。また、適切なポリマー層は、サンドイッチされた金属化層を含むことができ、例えばＴｅｃｈｎｉｐａｑ  Ｉｎｃ（Ｃｒｙｓｔａｌ  Ｌａｋｅ、ＩＬ）からポリエチレン／金属／ポリマー裏打サンドイッチ三層構造で積層されて入手可能である。流体ポーチの２つのダイアフラム部材の間の向かい合わせ可能なポリエチレンフィルムは熱封止を可能にするために有用である。ＵＶ活性化接着剤はカートリッジ筺体にダイアフラムを組み立てるためのシールまたはガスケットを形成するのに用いることができる。
【００７４】
図７Ａおよび７Ｂは、ホスト機器に搭載される際に傾斜された基板内マイクロ流体カード４００を示す。図７Ｂに詳細が示されるように、カードはその側部が約１５度（θ）に傾けられ、図７Ｂは、カードに含まれた３つの検出チャンバーを通した断面図である。カードの傾きは、カード中の空気が浸潤および充填中に１つ以上の排気ポートに浮力で導かれるように構成され、発生したいかなる気泡もカードの上流のチャンネルおよびチャンバーに捕捉され、カードの加熱されたゾーンおよび検出チャンバーへ入るのを制限される。図５Ｂの核酸溶離運転からの流体５０１は図示されたように基板内カードに入り、以下の図に説明されるマイクロ流体チャンネルおよびチャンバーのネットワーク中を辿る。１０〜３５度の傾斜は気泡混入による妨害を低減するのに有用であり、アッセイ中その上にマイクロ流体カードまたはカートリッジが支持される傾斜した台に適応するようにホスト機器を構成することによって、自動アッセイシステム用に実施することができることが見出された。また、重要な通路から気泡をさらに隔離するために振動補助を提供することもできる。また、これらの特徴は初期浸潤の間の空気の除去を助け、したがって、気泡形成のために入手可能な空気全体を低減する。
【００７５】
図８Ａおよび８Ｂはマイクロ流体カード４００内でＰＣＲを実行するためのチャンネルおよびチャンバーのネットワーク８００の虫瞰図である。図はマイクロ流体サブ回路を形成する内部の浸潤可能な表面の外観を描くが、チャンネルおよびチャンバーの深さは明瞭さのために誇張されている。３つのチャンネルａ、ｂ、ｃが描かれる図８Ａに示すように、溶離液５０１（試料のいずれかの核酸を含む）はビア８０１を通ってカード中に運ばれ、３チャンバーの輸送マニホルド８０２’に入るが、この目的は、流体を３つの下流チャンネルに等しく分割し、内部プラスチック表面の初期浸潤の間に気泡の混入を避けながら、流体を下流チャンバー８０４および８０５中にゆっくり均一に出現させることである。最初バルブ８１１は閉じられている。図８Ｂの機構は単一チャンネルを描く。
【００７６】
最初に複数のチャンネル間に液体５０１を分割するのは、不均一な浸潤のため問題であることが見出されたが、複数の増幅またはアッセイが並列に実行できるために望ましい。充填プロセスの最初の段階の間に、液体５０１は圧力下で、３つのチャンバーのマニホルド８０２’に入る。チャンバー８０２ａ、８０２ｂ、８０２ｃの各々は連結する空圧チャンバー（すなわち、ダイアフラムによって分離された２つの空洞の積み重ね中の排気された上部空洞）から流体内容物を分離し、充填中に受動的に拡大する弾性ダイアフラムによって水平に二分される（図９Ｉ〜９Ｌ、９００参照）。このステップ中に圧力は複数のチャンネル間で等しくされる。充填中に、ダイアフラム下部の空気は排気口８０３を通って退出し、排気口８０３は、衛生状の特徴として、浸潤された時に封止する気体透過性で液体不透過性のフィルタメンブレンを含む。連続的な加圧は、開放バルブ８１１（および全ての下流バルブ）によって放出されるとき、復帰可能なバネ力またはチャンバー８０２の充填中に膨張した弾性ダイアフラム９００によって実行される圧力によって動かされる際に、加圧された液体が均一に３つの（またはそれ以上）の並列チャンネル中に流れるように、チャンバー８０２中のダイアフラムを膨らませる。復帰可能な圧力は正確に制御および制限でき、ダイアフラムのバネ定数の関数であり、弾性ダイアフラムの排除容積は正確に制御できるので、下流チャンネルの浸潤または「呼び水」の程度はピペットを容積測定的に充填するようにして正確に較正することができ、これは当分野における明らかな進歩である。弾性ダイアフラムはダイアフラム材料としてポリウレタン、ポリビニリデンクロリド、および／またはポリエステルを用いて達成された。それらの材料の１つはＳａｒａｎｅｘ（商標）（Ｄｏｗ  Ｃｈｅｍｉｃａｌ）であり、これは複合薄膜としてポリオレフィン層の間にサンドイッチされたポリビニリデンクロリドの押し出しシートである。他の材料を用いることもできる。
【００７７】
したがって、有利に、各チャンバー８０２の受動的に拡大するダイアフラム９００（図９Ａ〜９Ｌ）は気泡の混入なしに、１つ以上の並列の下流チャンネル中に流体を分配するためのエネルギー保存装置になる。下流の容積を知ることによって、各並列チャンネルが容積測定ピペットのように目標まで充填され、充填容積は一般に各分岐の検出チャンバー８０６および最終バルブ構造８１２で不足するようになるが、チャンバー８０４および８０５を十分に浸潤させるように、拡大したダイアフラム中のエネルギーを調節することができる。浸潤の間に、全ての下流構造は終端排気口８０７を経由して絶え間なく前進するメニスカスの前方で空気が除去され、望むならば、排気口８０３のために図示したように、疎水性の液体不浸透性で気体透過性のメンブレンで蓋をすることによって、衛生状態下で作動することができる。ダイアフラムの弛緩中の液体の流れは過剰の空圧圧力によって動かされず、毛管流れに依存せず、有限であるので、メニスカスの前進は段階的および規則的であり、その航跡中の空気ポケットの混入を制限する。これは当分野における技術的進歩であり、気泡の混入なしに並列の下流ネットワークの正確な充填を可能にする。方法はカードの傾斜およびチャンネルおよびチャンバーの接合部から角部の半径を除去することによって（しばしば、浸潤に抵抗することのある表面張力の局部的増加に伴う）促進される。
【００７８】
この方法のさらなる改善において、チャンバー８０４および８０５に内部ダイアフラムが設けられる。チャンバー８０２の受動的に屈曲するダイアフラムとは異なり、チャンバー８０４および８０５のダイアフラムの空圧面は大気に排気されず、圧力マニホルドから供給される正の空圧圧力または負の空圧圧力によって駆動することができ、したがってポンプとして働く。充填サイクル中に、チャンバーのデッド容積を低減または除去するために、ダイアフラムは下方向に「カバーを張る」または「膨らませて」下部液圧チャンバーの容積を占拠する。チャンバーの外側底部縁部上のこれらのダイアフラムを漏れ出た液体はチャンバーを完全に浸潤させ、あらゆる残留空気を追い払う。次いでバルブ８１２を閉じた後に放出されると、液体は上流から吸引されてチャンバーを充填し容積を埋める。
【００７９】
この方法のさらなる改善において、乾燥試薬はチャンバー８０４および８０５に配置され、アッセイの本質に関する乾燥試薬の本質が実行される。試薬は一般にチャンバーの中心近くに点在する。初期浸潤の間に、ダイアフラムは完全に下方向にカバーを張って下部液圧チャンバーの容積を占拠し、その中のデッド容積を低減し、保護被覆してチャンバーの残留デッド容積が浸潤する際に乾燥試薬点が溶解および流出するのを保護する。バルブ８１２が閉じられ、ダイアフラムへの圧力差を逆転することによってチャンバーが液体で満たされた後、試薬は急速かつ最高強度で溶解する。
【００８０】
乾燥試薬の位置は図８Ｂに記される。見ることができるように、特定の機能を有する乾燥試薬は、指定されたチャンバーに配置される。乾燥試薬点８２１は、例えば、有利に標的テンプレートの存在で混合および変性されるマスター混合物およびプライマーを含む。このチャンバー８０４はテンプレート核酸の変性に十分な温度で加熱されるのが好ましい。チャンバー８０５は、例えば、乾燥ポリメラーゼ８２２を含み、プライマーおよび標的のアニールおよびポリマー化の開始に適した温度である。検出チャンバー８０６において、乾燥試薬点８２０は、例えば、増幅中に生成したアンプリコンの検出に用いられる「分子ビーコン」または挿入色素などのプローブを含む。検出チャンバー８０６は薄膜光学窓によって「頂部」および「底部」で接合され、増幅された標的の蛍光計検出のために反射して透過照明される。また、協働して、底部の薄膜層はアッセイ中にカードとインターフェースをとる図３Ｂに示したミラー面の加熱要素からの熱を伝達するのに効果的であり、したがって、以下に説明するように熱溶融曲線によるアッセイに有用な「熱光学窓」と呼ばれる。
【００８１】
図８Ｃおよび８Ｄは代替のＰＣＲ用カートリッジ８３０を示す。このカートリッジにおいて、試料入口８３１で圧力下にカートリッジに入る試料５０１は三又８３３で分割され、疎水性排気口８３４で独立に排気される３つのチャンバー８３２ａ、８３２ｂ、８３２ｃの各々を充填する。各チャンバー８３２は弾性空圧液圧ダイアフラムを含み、充填中に膨張する時、チャンバー中に含まれる液体に圧力を加える。チャンバーは上流ポンプから一連の加圧された容積を注入することによって充填することができる。分配マニホルドの３つの分岐中への流体流れは必ずしも等しく分割されないが、輸送マニホルドが平衡化するので各チャンバー（８３２ａ、８３２ｂ、８３２ｃ）の容積および圧力は等圧になる。充填プロセス中、下流バルブ８３５は閉じられる。
【００８２】
輸送マニホルド８３６の加圧が完了して平衡化された後、バルブ８３５は開かれて、受動的に液体内容物を増幅チャンバー８３７および８３８中に動かし（ｕｒｇｅ）ながら、チャンバー８３２の弾性ダイアフラムは弛緩できる。このプロセスの間、チャンバー８３７および８３８のダイアフラム要素は膨らんで、ヘッド空間が除去され、チャンバー中のいかなる乾燥試薬も前進するメニスカスによる流出から保護されるように、下部液圧チャンバーを占拠する。ＰＣＲ増幅は図８Ａおよび８Ｂに示すように実行される。下流のバルブ８３９は開かれて、バルブ８３５を閉じながらチャンバー８３７および８３８の両方のダイアフラムを加圧することによって、前チャンバー８４０を通してあらゆる増幅生成物を検出チャンバー８４６に運ぶ。いかなる空気も端末排気口８４７から排出される。前チャンバー中に印刷されまたは点在する乾燥プローブ８４１は検出チャンバーに注入される前に溶解され、かつアンプリコンと混合されるのが有利であり、これは検出チャンバーに結合する熱光学窓の透過度を改善し、分子ビーコンまたはＦＲＥＴプローブとして有用ないくつかの色素の自動蛍光を低減または防止する。図７に示したように、傾斜角度θでカードを運転することによって、空気は検出チャンバー上に配設された排気ポートに有利に排除される。
【００８３】
図８Ｄに見ることができるように、検出チャンバー８４６、および増幅チャンバー８３７および８３８の入口、出口、および排気ポートは非対称的に配置される。カートリッジまたはカードがホスト機器の傾いた台上に傾斜されるとき（図３Ａおよび７Ｂ参照）、増幅チャンバー間の連絡ポート（８４２、８４３）および検出チャンバーに付属する端末排気ポート（８４８）はチャンバー自体に対して上昇され、いかなる幾何形状の表面張力効果も克服するような輪郭にされる。したがって、システム中の空気は浸潤の間に、最初にチャンバーの低い側を充填する前進する液体によってシステムから追い出されるのが好ましく、ＰＣＲ中に液体の脱気に伴う加熱によって発生したあらゆる気泡は熱伝導を妨害しないように増幅チャンバー間で捕捉され、検出チャンバーに入らないことが好ましい。
【００８４】
より多くの方法論の詳細において、図９Ａ〜９Ｌは簡略化された時間的順序（ｃｈｒｏｎｏｌｏｇｙ）および輸送マニホルドによる受動的初期浸潤のステップまたは段階の概要を示す。前進するメニスカスを見ることができるように、断面および平面図が示される。最初の図、図９Ａにおいて、輸送マニホルドチャンバー８０２中のダイアフラム９００は上方に膨張されて示され、左から開放バルブ９１０を通って入る液体試薬で膨れ、ダイアフラムの空圧面は９０５で大気に排気される。下流チャンバー９０３は乾燥し、バルブ９１１は閉じられる。試薬点９０５の初期乾燥状態は右側の図９Ｂの平面図に監視される。
【００８５】
図９Ｃにおいて、バルブ９１０およびバルブ９１１の両方は閉じられ、バルブ９１２は排気のために開かれる。ダイアフラム９００は加圧され、試薬点９０５の上にカバーが張られる。チャンバー９０３のベースに接触するダイアフラムの接地面積は図９Ｄ中に点線９０２ａで示される。
【００８６】
図９Ｅにおいて、バルブ９１０は閉じられたままであり、バルブ９１１および９１２は開いている。図９Ｆの平面図に示すように、前進するメニスカスはチャンバー９０３に侵入を始める。
【００８７】
図９Ｇにおいて、液体はチャンバー９０３を浸潤させ続け、ダイアフラムによって形成されたつぶれた天井の周りのチャンバーの周辺のあらゆるデッド容積を充填する。このプロセスは図９Ｉのスナップ写真で示される。チャンバー８０２内で受動的に膨張したダイアフラム９００の段階的収縮は左側の図９Ｇおよび９Ｉに低速度スナップ写真で示される。図９Ｋに、液体が輸送マニホルドチャンバー９０１から吸引され、チャンバー９０３を充填し乾燥試薬９０５を溶解するように、ダイアフラム９０２に加えられた圧力はバルブ９１０および９１２が閉じられる時、逆転できるのを見ることができる。完全な溶解は図９Ｌに図示される。このプロセス中に、最初にチャンバー９０３中のデッド空間を除去することによって、次いでダイアフラム９００の弛緩によって残留空気を段階的に除去することによって、そして最終的にパージしたシステムを封止し、そしてチャンバー８０２の内容物をチャンバー９０３中に吸引して試薬溶液として溶解および定量的に混合することによって、空気は効率的に浸潤された領域から排除される。下流のチャンバーを充填する液体の容積は、弾性ダイアフラム９００およびチャンバー８０２の除去容積を設定することによって正確に制御することができ、受動的な下流流体浸潤の速度は弾性ダイアフラム９００のバネ定数を選択することによって制御される。
【００８８】
図１０Ａ〜１０ＣはＰＣＲ反応を呼び水する上記発明機構のさらに有利な使用を示し、核酸基質およびポリメラーゼの熱サイクルのための２つのゾーンを有するシステムが示される。全ての流体システムはカードまたはカートリッジ本体１０００中に含まれる。輸送マニホルドチャンバー１００１は大気への排気口があり、左側からバルブ１００３を通って入る加圧された液体を保存可能な受動的弾性ダイアフラム１００２を含む。図１０Ｂに示すように、このダイアフラム１００２は流体の進入の間に膨らみ、次いでバルブ１００３が閉じられる。チャンバー１０１０および１０２０中のダイアフラム１０１１および１０２１は、それぞれ加圧されて乾燥試薬点１０１２および１０２２上に保護カバーを形成し、図１０Ｂに示すようにチャンバーからデッド空間の空気を追い出す。下流バルブ１０２３および１０３３は排除された空気が端末排気口１０３４を経由してシステムから排気されるように、この段階で開く。図１０Ｃにおいて、バルブ１００４は開かれ、最初にチャンバーの呼び水に十分な量の液体がＰＣＲを行う２つのチャンバーに入る。この順序は図１０ＤからＧに続く。流体は変性熱チャンバー１０１０を充填するのに十分な量が導入されるが、それ以上ではない。ダイアフラム１０１１への真空の印加はこのプロセスを助ける。図１０Ｄは「熱」または「変性」チャンバー１０１０が真空下にあり、液体はチャンバーを充填するために吸引されたことを示す。あらゆる乾燥試薬１０１２が定量的に溶解され、核酸変性が十分になった後に、チャンバー１０１０の液体内容物は、試薬点１０２２の溶解の際にポリメラーゼ介在延長を開始できるように、プライマーのアニーリングに適した温度で第２チャンバー１０２０に移される。図１０Ｅは、２つのダイアフラムの圧力差を逆転することによって熱チャンバーから「アニーリング」チャンバーへポンプ輸送された液体を示す。このプロセスは図１０Ｆにおいて再び逆転され、１０１０（図３Ｂの加熱ブロック３１３に接触する）の熱ゾーンと１０２０（加熱ブロック３１２に接触する）のアニーリングゾーン間に液体を前後に動かす２つのダイアフラムの往復ポンプ輸送動作を示す。この往復空圧液圧動作は装置中の熱サイクルによる核酸増幅の基本である。図１０Ｇに示すように、最終的に、あらゆるアンプリコンを有する流体は検出チャンバー中に注入される。本明細書に示される検出チャンバーには一対の光学窓１０３５が固定される。
【００８９】
さらに複雑な構成において、例えば、ＰＣＲ型増幅プロセスの前に、ｃＤＮＡの逆転写酵素介在合成のための追加の温度ステーションおよび熱ブロック３１４（図３Ｂ）を備える付属の熱伝導部が用いられる。したがって、追加のチャンバーは有用であり、本発明の教示の論理的拡張によって、必要な変更を加えて、幾何形状および構成を変更することができる。浸潤の間に、各チャンバーのダイアフラムは初期のデッド空間容積を低減するのに用いられる。続いて、ダイアフラム上に圧力差を加えることは、連続的なダイアフラム組み立て体およびバルブ要素を、装置の液圧ワークによる流体容積の液圧運動のためのポンプおよび混合要素として利用するために用いられる。逆転写装置の第１実施形態は図１４Ａ〜１４Ｃに示され、以下でより詳細に説明される。
【００９０】
図１１〜１３は上で説明した方法のステップを纏めたものである。図１１は、試料から核酸を抽出する方法のステップを説明し、液体中心を備える二層二重ダイアフラムが試薬の分配のために用いられる。ホスト機器を起動した後、液体試料はマイクロ流体カートリッジ中に置かれ、カートリッジは機器のドッキングベイに挿入される。ホスト機器は実行されるアッセイの種類を指示するマイクロ流体カートリッジ上のバーコードを読み取る。液体試料は混合チャンバー中に吸引され、細胞溶解緩衝剤が分配されて液体試料と混合される。溶解緩衝剤を分配するために、針に対する空圧作動によって「液体中心ダイアフラム」が動かされ、ダイアフラムの下部層を破裂させ、液体をカード中に送液する。次いで、試料の溶解物はカードのチャンバー中に配置された固相核酸吸収剤と接触し、空になった試料溶解物は基板上廃棄物に導かれる。エタノール溶液は第２液体中心ダイアフラム部材から分配され、固相吸収剤からの汚染物を洗浄するのに用いられる。洗浄ステップは繰り返すことができる。洗浄物は基板上廃棄物に封鎖される。固相マトリックスは空気の流れの下で簡単に乾燥して残留溶媒を除去する。次いで、溶離緩衝剤が最終的な液体中心ダイアフラム貯蔵器から分配され、固相マトリックスに接触する。次いで、溶離された核酸５０１を有する溶離物は検出サブ回路中に入るために輸送マニホルドに移される。本明細書に提供される実施例において、ＰＣＲ増幅による核酸アッセイは溶離物について行われる。本明細書の教示および図面から理解されるように、他の核酸増幅方法は当分野に置いて既知であり、本発明の装置のさまざまな成分を再構成することによって実施することができる。
【００９１】
図１２は、図６Ｄに示すように、液体中心６０１を有する二層二重ダイアフラムから分配される液体で液圧ワークのチャンネルおよびチャンバーに「呼び水」する（すなわち浸潤させて装填する）方法のステップを説明する。緩衝剤を含む試薬貯蔵器の破裂によって放出された溶離緩衝剤で核酸抽出物５０１を溶離した後、流体は固相吸収剤４０９に接触する時（図４）、吸収された核酸を効率的に採取するように振動させることができる。次いで、チャンバーを覆う弾性ダイアフラムが膨らみ、ポテンシャルエネルギーを保存するように、溶離物はマイクロ流体カードの輸送チャンバー中に圧力下で送液される。輸送チャンバー入口は封止され、輸送マニホルド全体の圧力は急速に平衡化される。次いで、各チャンネルへの下流バルブは開かれる。全ての下流の流体チャンネルおよびチャンバーはこの運転中に排気され、これは下流の浸潤可能な表面を浸潤させ、または呼び水するのに有用である。有利に、弾性ダイアフラムが弛緩すると、その保存されたエネルギーを放出し、ダイアフラムの弾性はゆっくり、しかししっかりと液体を下流チャンネルおよびチャンバー中に並列に等しく動かし、前進するメニスカスは気泡の混入なしにあらゆる残留空気を追い出す。当分野の進歩である。液体はこのようにして分岐する並列の流体通路中に分割される。
【００９２】
図１３は気泡混入または試薬流出なしに乾燥試薬を再水和する方法のステップを説明する。本発明のカートリッジの製造中に、乾燥試薬点は試薬チャンバーの中心に印刷される。試薬チャンバーは重なり合う加圧可能なダイアフラムとともに構成される。液体試料が加えられ、カートリッジはホスト機器のドッキングベイに挿入され、これはカートリッジの運転のための圧力およびバルブ命令を供給する。試料は最初に圧力下で未排気の輸送チャンバー中に送液され、これは輸送チャンバー中の液体を覆う弾性エネルギー保存ダイアフラムを膨らませる。前述の下流の試薬チャンバーは排気され、その中の加圧可能なダイアフラムは乾燥された試薬点の周囲および上部に一時的な保護封止を形成するために加圧される。次いで、輸送チャンバーの下流バルブが開かれ弾性ダイアフラムは弛緩し、ダイアフラムの回復の弾性エネルギーはゆっくり試料流体を下流の試薬チャンバー中に動かし、保護一時シールの周囲のあらゆる残留空気を追い出す。最終的に、加圧可能なダイアフラム上の圧力差は逆転または弛緩される。当分野における進歩である、試薬点が気泡の混入なしに試料流体中に最高強度で有利に溶解するように、試薬点を被覆せず液体の全容積を試薬チャンバー中に吸引する。
【００９３】
図１４Ａおよび１４Ｃは逆転写介在ＰＣＲのためのマイクロ流体チャンネルおよびチャンバーのネットワークの虫瞰図である。３つの並列チャンネルａ、ｂ、ｃを有する装置が示される。試料５０１は、例えば、３つ（またはそれ以上）の分離した複数のアッセイを並列に実行できるようにチャンネル間に分割される。前に示した実施形態とは異なり、ここでは試薬１２２０はダイアフラム起動チャンバーではなくチャンネル１２０５中に印刷される。しかし、図９で表現された受動的浸潤の原理は維持される。上流のポンプによって呼び水された液体はエネルギー保存ダイアフラムの受動的弛緩によってチャンネル中に放出される。この原理は混入空気の制限および共通の輸送マニホルドから分岐する並列チャンネル中の流体の流れの釣り合いに効果的であり、各チャンネルには個別の受動的ダイアフラムが設けられる。この受動的に駆動される浸潤原理を用いる本明細書で実現される装置は、当分野における進歩であり、従来技術の毛管浸潤および能動的な浸潤装置の両方の欠点を克服する。
【００９４】
一実施形態において、図１４Ａおよび１４Ｃは本発明の他のマイクロ流体カード内でｒｔＰＣＲを実行するためのチャンネルおよびチャンバーのネットワーク１２００を示す。この「虫瞰図」のチャンネルおよびチャンバーの深さは明瞭さのために誇張される。溶離物５０１（試料のあらゆる核酸を含む）はビア１２０１を通ってカード中に向けられ、流体相互接続する３チャンバーの輸送マニホルド１２０２に入り、その目的は流体を３つの下流流体通路に等しく分割するためであり、内部のプラスチック表面の初期浸潤の間に気泡の混入を避けながら、下流バルブ１２０４、試薬チャンネル１２０５、バルブ１２０６を通ってチャンバー１２０７中に流体をゆっくり均一に動かすためである。バルブ１２０４は最初閉じられる。
【００９５】
充填プロセスの第１段階の間、液体５０１は圧力下で多チャンバーのマニホルド１２０２に入る。各チャンバー１２０２は、チャンバー中の排気された上部空圧空洞から流体内容物を分離し、充填中に受動的に膨張する弾性ダイアフラムによって水平に二分される（図９、９００参照）。充填中に、ダイアフラム下の空気は排気口１２０３を通って退出し、衛生上の特徴として、浸潤された時に密封的に圧力の増加を可能にする、ダイアフラムを膨張させる気体透過性で液体不透過性のフィルタメンブレンを含む。連続的な加圧は、バルブ１２０４（およびその下流の全てのバルブ）を開くことによって放出されるとき、弾性ダイアフラムによって発揮される回復可能な力によって動かされる際に、加圧された液体が３つ（またはそれ以上）の並列の下流チャンネル中に均一に流れるように、チャンバー１２０２中のダイアフラムを液体で膨らませる。回復可能な圧力は制御および制限することができ、ダイアフラムのバネ定数の関数である。弾性ダイアフラムの定量的変位は制御できるので、下流チャンネルの浸潤（または「呼び水」）の程度はピペットを定量的に目標まで充填する方法で較正される。試料を等しく分割する能力はマイクロ流体装置中で並列にアッセイを実行するのに有利であり、各チャンネル中の流れは等しい速度で進むことを保証しないので、毛管流および吸引または容積式方法（注射器ポンプなど）によって試みる時問題であった。驚くべきことに、輸送マニホルド中に組み合わせたダイアフラムの受動的弛緩によって駆動される浸潤の原理を用いて、複数の並列チャンネルについてこの問題は有利に解決される。
【００９６】
チャンバー１２０７および１２０８には液圧チャンバーと空圧チャンバーの間のインターフェースをとる内部ダイアフラムが固定される。しかし、チャンバー１２０２の受動的に屈曲するダイアフラムとは異なり、チャンバー１２０７および１２０８のダイアフラム面は大気に排気されず、外部源から供給される正の空圧圧力または負の空圧圧力によって能動的に駆動でき、したがって、ポンプとして働く。充填サイクルの間に、チャンバーのあらゆるデッド容積を低減または除去するために、ダイアフラムは液圧空洞中に完全に膨張して下がる。チャンバーの外側底部縁のこれらのダイアフラムを漏れ出る液体はチャンバーを完全に浸潤させ、あらゆる残留空気を追い出す。ついで、バルブ１２０９を閉じた後にダイアフラムを放出すると、液体は吸引圧力下で上流から吸引され、液圧チャンバー１２０７の容積全体を充填し、空気はシステムから完全に排出された。
【００９７】
変形において、空圧チャンバーの１つは大気に排気され、排気されないダイアフラムの動作に従属する。２つのチャンバーはバルブによって残りの回路要素から隔離される。活性ダイアフラムが正の圧力で脈動するとき、液体は隣接チャンバーに動かされる。活性ダイアフラムが負の圧力で脈動するとき、液体は隣接チャンバーから吸引される。場合によって、受動的ダイアフラムは弾性ダイアフラムとすることができる。
【００９８】
この方法のさらに他の改善において、乾燥試薬はチャンバー１２０７および１２０８およびチャンネル１２０５中に配置される。試薬は一般に通路の幅が印刷ヘッドによるアクセスを可能にする液圧チャンバーまたはチャンネルの床上に点在する。チャンネル１２０５中に点在する試薬１２２０は適切な緩衝剤中の逆転写酵素およびヌクレオチド基質を含む。典型的に、ＰＣＲマスターマトリックスおよび適切なプライマーはチャンバー１２０７中に試薬点１２２１として提供される。点１２２２は脱水されたＴａｑ試薬点である。点１２２３は場合によって蛍光プローブなどの検出試薬を含む。複数の分離した点はロール式またはシート式プロセスで各チャンバーまたはチャンネルに印刷することができる。
【００９９】
溶離物５０１中のＲＮＡ標的は一般に２０〜４５℃の温度で逆転写酵素の働きによってｃＤＮＡに変換される。この動作はチャンネル１２０５内で溶離緩衝剤中に実施され、バルブ１２０４および１２０６が乾燥試薬点１２２０を含む変更されたチャンネル部分１２０５によって分離される図１４Ｂにより詳細に示される。試薬、例えば逆転写酵素は、特別に変更されたチャンネル部分を通過する試料中に溶解する。完全な酵素作用のための基質およびあらゆる補因子も提供される。
【０１００】
初期浸潤の間に、チャンバー１２０７および１２０８中のダイアフラムは、その中のデッド容積を低減するように完全に液圧チャンバー中に膨張して下がり、ダイアフラムによって提供される被覆は、重なり合う乾燥試薬点または複数の点を浸潤中の早期溶解および流出から保護するように密封する。排気口１２１１は一般に滑らかに前進するメニスカスとして侵入する流体によって追い出された空気を排気する。バルブ１２０９が閉じられチャンバー１２０７が液体によって充填された後、ダイアフラム上の逆転圧力によって（すなわち、液体をチャンバー中に吸引する）、バルブ１２０６も閉じられる。ＲＮＡ標的からｃＤＮＡを形成する必要のなかった直接ＰＣＲプロセスについて本質的に図８で説明したように、点在するいかなる試薬も希釈なしに急速且つ最高強度で溶解する。したがって、装置の再構成は柔軟性があり、さまざまな分子アッセイプロセスに適合することができる。
【０１０１】
チャンバー１２０７はテンプレート核酸の変性に十分な温度で加熱されるのが好ましい。チャンバー１２０８は、例えば、乾燥ポリメラーゼ１２２２を含み、プライマーおよび標的のアニーリングおよびポリマー化の開始に適切な温度である。ＰＣＲの熱出発は、例えばチャンバー１２０８中のＴａｑポリメラーゼ試薬点１２２２の溶解によって開始される。次いで、２つのチャンバー１２０７および１２０８のダイアフラムに印加された交互圧力によって、流体はダイアフラムの往復空圧液圧動作によって変性からアニール条件に前後して動くことができ、鎖伸長および増幅はこのプロセスにおいてアンプリコンを発生させるのに好結果であることが見出された。検出チャンバー１２１０において、乾燥試薬点１２２３は、例えば、増幅中に生成されたあらゆるアンプリコンを検出するために用いられる「分子ビーコン」などのプローブを含む。前述のように、検出チャンバー１２１０は薄膜光学窓によって頂部および底部に接合され、増幅された標的の蛍光検出のために反射して透過照明される。また、底部の薄膜層もアッセイ中にカードが連結する図３Ｂに示したミラー面加熱要素から協働して熱を伝導するのに効率的であり、したがって、「熱光学窓」と呼ぶことができ、以下に説明するように（図１７、１８Ａ、１８Ｂ）、熱溶融曲線によってアンプリコン識別をアッセイまたは確認するのに有用である。
【０１０２】
図１４Ｄおよび１４ＥはＰＣＲ用の代替カートリッジ１２３０を示す。このカートリッジにおいて、圧力下でカートリッジの試料入口１２３１に入る溶離物５０１は、三又１２３３で分割され、３つの各チャンバー１２３２ａ、１２３２ｂ、１２３２ｃを充填し、疎水性排気口１２３４で独立に排気される。各チャンバー１２３２は弾性空圧液圧ダイアフラムを含み、これは拡大または膨張するとき、チャンバー中に含まれる液体上に圧力を加える。必要ならば、チャンバーは上流ポンプから連続的な加圧された容積を注入することによって充填することができ、分配マニホルドの３つの分岐中への流体の流れは必ずしも等しく分割されないが、各チャンバー（１２３２ａ、１２３２ｂ、１２３２ｃ）中の容積および圧力は輸送マニホルドが平衡化するので等しくなる。充填プロセスの間、下流バルブ１２３５は閉じられる。
【０１０３】
輸送マニホルド１２３６の加圧が完了した後、液体内容物を逆転写チャンネル１２３８中に受動的に動かす間、チャンバー１２３２の弾性ダイアフラムが弛緩できるように、バルブ１２３５および１２３７は開かれる。逆転写は逆転写に適合する緩衝剤、基質および温度条件の下で行われる。緩衝剤およびあらゆるエンハンサーは一般にチャンバー１２３８中の乾燥試薬点１２５７として供給される。次いで、試料は増幅チャンバー１２４７および１２４８中に動かされる。各増幅チャンバーには空圧液圧ダイアフラムが設けられる。このプロセスの間、チャンバー１２４７および１２４８のダイアフラム要素は、ヘッド空間が除去されるように空圧圧力の下で膨らみ、液圧チャンバー中にカバーを張って試薬点を被覆する膨張したダイアフラムによって、チャンバー中のあらゆる乾燥試薬が前進するメニスカスによって流出するのを保護する。ＰＣＲ増幅は、図１４Ａおよび１４Ｃについて説明したように、逆転写によって作られたｃＤＮＡ上に実行される。下流バルブ１２４９は開かれて、バルブ１２３７が閉じている間、両方のチャンバー１２４７および１２４８のダイアフラムを加圧することによって、あらゆる増幅生成物は前チャンバー１２５０を通って検出チャンバー１２５１に送られる。各段階で、システム中のあらゆる空気は端末排気口１２５２を通って排出される。前チャンバー１２５０中に印刷または点在された乾燥プローブ１２５３は、検出チャンバー中に注入する前に溶解され、アンプリコンと混合されるのが有利であり、これは検出チャンバーに結合する熱光学窓の透過度を改善し、分子ビーコンまたはＦＲＥＴプローブとして有用ないくつかの色素の自動蛍光を低減または防止する。
【０１０４】
図１４Ｅに見ることができるように、検出チャンバー１２５１および増幅チャンバー１２４７および１２４８の入口、出口および排気ポートは非対称的に配置される。装置がホスト機器の傾斜台上で傾けられる時（図３Ａおよび７Ｂ参照）、増幅チャンバー間の連絡ポート（１２５４、１２５５）および検出チャンバーに付属する端末排気ポート（１２５６）でチャンバー自体に対して上昇され、幾何形状のあらゆる表面張力効果を克服するような外形にされる。したがって、システム中の空気は浸潤の間に最初にチャンバーの下部側を充填する前進する液体によってシステムから追い出されるのが好ましく、ＰＣＲのための往復動ポンピングの間に液体の脱気に伴う加熱によって発生したあらゆる気泡は、熱伝導を妨害しないように、また検出チャンバーに入らないように増幅チャンバーの間で混入されるのが好ましい。
【０１０５】
替りに、逆転写酵素ｃＤＮＡおよび増幅は図８のカートリッジの１つで実行することができる。これは、逆転写酵素（ＭＭＬＶ−ＲＴ、ＡＭＶ−ＲＴ）および基質を第１増幅チャンバー８０４中に点在させ、最初に４０〜５０℃でインキュベーションすることによって達成される。核酸はＲＮＡアーゼ抑制剤の存在中に抽出される。１ポートｒｔＰＣＲのための適切な緩衝剤は文献に記載され、本質的にＲＮＡ標的の予備増幅に帰着し、したがって検出可能な分子標的の感度および範囲を改善する。１ポートｒｔＰＣＲのための緩衝剤システムは、例えば、Ｙｏｕｎｇ［Ｙｏｕｎｇら、１９９３、Ｄｅｔｅｃｔｉｏｎ  ｏｆ  Ｈｅｐａｔｉｔｉｓ  Ｃ  ｖｉｒｕｓ  ＲＮＡ  ｂｙ  ａ  ｃｏｍｂｉｎｅｄ  ｒｅｖｅｒｓｅ  ｔｒａｎｓｃｒｉｐｔｉｏｎ  −ｐｏｌｙｍｅｒａｓｅ  ｃｈａｉｎ  ｒｅａｃｔｉｏｎ  ａｓｓａｙ．Ｊ  Ｃｌｉｎ  Ｍｉｃｒｏｂｉｏｌ  ３１：８８２〜８６］他によって説明される。一般に、ＲＮＡアーゼ抑制剤が加えられる。
【０１０６】
図１５は蛍光終点を監視する本発明の装置の検出チャンバーの光学窓の使用を示す。対物レンズ１５２０は液体試料１５０１を保持する検出チャンバー１５００を透過照明するのに用いられる。検出チャンバーは上部光学窓１５０２および下部光学窓１５０３に連結される。チャンバーは加熱ブロック３１１のミラー面３２０に着座し、加熱ブロックはしたがってチャンバー中の色原体またはフルオロフォアによって吸収または発光される反射光線のための光学通路を反射する機能と、流体中の検出化学の温度を調節する二重の機能を満足する。この構成は、例えば、ＦＲＥＴ検出および核酸標的の検出を確認するために価値を有する。
【０１０７】
標的分子１５１０から放射されるフォトンは円錐状に放射することができ、対物レンズによって捕捉され、またはミラー面３２０から反射することができ、したがって、標的分子の虚像１５１１を形成し、再び対物レンズによって捕捉されて感度を高める。したがって、検出チャンバーは加熱ブロック３１１の本体中の「仮想検出チャンバー」（点線）によって反射される。検出チャンバー中に形成される気泡１５０５は、装置がホスト機器内のドッキングベイ中に配設される傾斜角度θによってチャンバーの中心から重力で取り除かれるのが有利である（図７Ｂ参照）。また、協働して、ミラーの平滑な表面３２０は熱伝達を改善し、下部光学窓１５０３は熱伝導フィルムとして働く。熱伝導フィルムは非常に薄いことが有利であり、加熱ブロック３１１と熱接触される。好ましい熱伝導フィルムは共譲渡されている米国特許第７，５４４，５０６号および第７，６４８，８３５号に記載されるが、例えば類似寸法の環状ポリオレフィンフィルムを含むこともできる。したがって、組み立て体は熱光学窓として機能し、あらゆるアンプリコンまたは存在する他の検出可能な種の改善された加熱および光学呼びかけ信号を達成する。
【０１０８】
図１６はＰＣＲを実行するためのマイクロ流体ワークの複雑さの代表的レベルおよびマイクロ流体ワークとホスト機器とのインターフェースをとるためのガスケットを備える空圧インターフェースを示す。説明の目的で示されるのは、マイクロ流体サブ回路を備える液圧ワークおよび分子検出アッセイを運転するための空圧ワークを含む流体チャンネルおよびチャンバーであり、その例示的詳細は本明細書に説明された。基板外カード４１０および内基板カード４００は共通の空圧接合部で結合され、空圧制御インターフェースに対する運転の間、空圧制御およびカードの液圧ワークを駆動するために排気可能なガスケット４０５を用いて封止される。このサブアセンブリー１６００は一般に図４に参照して示されるように、試薬貯蔵器を含むカートリッジ架台中に搭載される。カードのマイクロ流体ワークは、アッセイの経過中に浸潤される内部チャンネルおよびチャンバーのネットワークまたは複数のネットワークから形成された液圧ワークと、バルブ制御およびホスト機器上の正および負の気体圧力源によって動かされる回路を駆動するポンプから形成された空圧ワークを含む。ダイアフラムバルブは空圧的に開かれ、閉じられてアッセイのステップを制御する。また、液圧ワークと空圧ワークの間のインターフェースに配設された大きなダイアフラムは、流体を動かすため、および流体の動的な動き（ｕｒｇｉｎｇ）を輸送マニホルドの弾性的に膨張したダイアフラム要素および／または例えば、増幅チャンバー中の受動的に駆動されるポンプの形でポテンシャルエネルギーに変換するための空圧液圧装置として働く。この図において、外基板カード４１０は生物サンプルから核酸を抽出する役割があり、内基板カード４００は増幅および検出のために用いられる。他の組み合わせは本発明の範囲および精神内であると容易に考えられ、これは例示的に提供された実施例によって制限されない。
【０１０９】
図１７、１８Ａ、１８Ｂは本発明のマイクロ流体カートリッジで得られたアッセイ結果の種類の代表であるがそれに制限されない。図１７はアンプリコンに混成された分子ビーコンのために収集された走査データである。走査軸（プロットのｘ軸）はそれぞれ正および負の試験条件を代表する検出ウェルを横断し、信号が検出ウェルに制限されるのを見ることができる。図において、検出チャンバー中の温度が計画的に変更される際に、試料は繰り返し走査される。走査は光学走査装置の空間忠実度を示すためにプロットに重ねられる。３５℃、６５℃、７０℃、７５℃、８０℃の試験条件について蛍光走査が記録される。４０、４５、５０、５５、６０℃および８５、９０℃プロットでの試験走査は、予想されたように十分な差がなく、個別に記録されない。蛍光信号は温度の関数であるのを見ることができる。この実施例における蛍光消光は二重ストランドプローブ標的が溶融される時増加する、すなわち、信号は３５℃で最大であり、８０℃では本質的に存在しないことが観察された。図１８Ａにおいて、データは正（２３０１、実線）および負（標的なし、２３０２、点線）の試験条件について、信号対温度が報告される。図１８Ｂにおいて、第１の誘導体がプロットされ、約７０℃のＦＲＥＴ溶融温度を示唆する。
【実施例】
【０１１０】
（実施例Ｉ）
実施例として、本発明の装置は、便などのヒトの試料中の病原体の核酸の検出によって、感染性疾患の診断に有用であることが示される。腸内細菌科状Ｏ抗原血清型およびｓｔｘ１およびｓｔｘ２遺伝子（志賀毒素について）を遺伝子学的に検出するのに有用なｒｆｂ遺伝子を例示する。これらの遺伝子は、例えば、下痢疾患において重要なＳｈｉｇｅｌｌａ、Ｓａｌｍｏｎｅｌｌａ、Ｃａｍｐｙｌｏｂａｃｔｅｒ、Ｅｓｃｈｅｒｉｃｈｉａ  ｃｏｌｉ血清型に見出される。
【０１１１】
陰性便の綿棒標本を２．５ｍＬのＰＢＳで希釈し、Ｏ１５７：Ｈ７バクテリア培養物を加えた。希釈された試料２５０μＬを本発明のカートリッジ上で分析するために装填した。これらのカートリッジはＰＣＲおよび分子ビーコンアンプリコン検出に必要な全ての乾燥および液体試薬を含んだ。ＤＮＡ抽出の後、標的およびプライマーは９４℃で２分間変性され、次いで熱サイクル当たり約１２秒でＰＣＲ増幅のために循環した。装填の後、カートリッジに互換性があるように設定された、熱的、空圧および光学連結を有する機器を用いて試料上で多重核酸アッセイを行った。増幅の内部の陽性対照としてバクテロイドＤＮＡが用いられた。また、陰性の対照も実施し、偽陽性は生成しなかった。
【０１１２】
バクテロイドのためにＦＡＭの標識を付けたプローブは第１蛍光によって検出される（励起４８５ｎｍ、放射５３５ｎｍ）。ＣＡＬ蛍光レッド６１０で標識を付けたプローブ（励起５９０ｎｍ、放射６１０ｎｍ）を用いてこのアッセイの標的アナライトを検出する。二重増幅生成物は、４００，０００コピーと予想される内部対照背景に対して、抽出あたり最低８０近くの標的コピーで検出され、高いレベルの感度と特異性を示唆した。光学系の詳細は、「ＰＯＲＴＡＢＬＥ  ＨＩＧＨ  ＧＡＩＮ  ＦＬＵＯＲＥＳＣＥＮＣＥ  ＤＥＴＥＣＴＩＯＮ  ＳＹＳＴＥＭ」の標題で国際特許出願公開第ＰＣＴ／ＵＳ１０／２２５８１に記載され、これは同時係属中であり、全ての目的のために参照して本願に全体が援用される。
【０１１３】
本発明の装置で便試料中のｓｔｘ２（２４１１）、ｓｔｘ１（２４１２）およびｒｆｂ（２４１３）遺伝子について検出されたアンプリコンのＦＲＥＴ曲線は図１９に示される。対照データは示されない。
【０１１４】
（実施例ＩＩ）
基板上乾燥および液体試薬を用いて、血液試料を処理し、３０分以内で、はしかウイルスに伴うＲＮＡが検出された。第１ステップで、図１４に示した装置の１つで約５０℃のインキュベーション温度で試料からｃＤＮＡが形成され、次いで、逆転写生成物は、一般に「Ｉｎｔｅｇｒａｔｅｄ  Ｎｕｃｌｅｉｃ  Ａｃｉｄ  Ａｓｓａｙ」の名称で共同譲渡され係属中出願の米国特許第７，５４４，５０６号、第７，６４８，８３５号、第７７６３，４５３号、および第７，７６３，４５３号に記載される、二重温度ゾーン制御を備える２つのマイクロ流体チャンバー（１２２１、１２２２）を用いてＰＣＲが行われ、これらは共同譲渡され、全ての目的のために参照して本願に全体が援用される。次いで、アンプリコンは増幅された標的に導かれたＦＡＭ蛍光標識付き分子ビーコンを用いて検出される。場合によって、１ポット反応混合物中の多重増幅によって、Ｃａｌｉｆｏｒｎｉａ  Ｒｅｄ標識付きＲＮＡ酵素Ｐ白血球エクソン配列（これは一般にヒトのあらゆる真正血液試料の特徴である）からなる対照を用いてアッセイが検証される。
【０１１５】
本発明の要素および特徴のさまざまな組み合わせを示す他の実施例は容易に実証される。本発明の教示により構成される装置は、例えば、バクテリア（
【０１１６】
【化１】
0005791634.tif 000002
【０１１７】
を含む）、リケッチア属微小球菌試薬（Ｃｌａｍｙｄｉａ  ｐｎｅｕｍｏｎｉａｅ、Ｃｈｌａｍｙｄｉａ  ｔｒａｃｈｏｍａｔｉｓ、Ｒｉｃｋｅｔｔｓｉａ  ｐｒｏｗａｚｅｋｉｉ、またはＲｉｃｋｅｔｔｓｉａ  ｔｙｐｈｉを含む）、ウイルス性試薬（はしかウイルス、ＨＩＶウイルス、Ｃ型肝炎ウイルス、Ｂ型肝炎ウイルス、デング熱ウイルス、西部ウマ脳炎ウイルス、東部ウマ脳炎ウイルス、ベネズエラウマ脳炎ウイルス、エンテロウイルス、インフルエンザウイルス、トリインフルエンザ、コロナウイルス、ＳＡＲＳコロナウイルス、ポリオウイルス、アデノウイルス、パラインフルエンザウイルス、ハンタウイルス、狂犬病ウイルス、アルゼンチン出血熱ウイルス、マチュポウイルス、サビアウイルス、グアナリトウイルス、コンゴ‐クリミヤ出血熱ウイルス、ラッサ出血熱ウイルス（Ｌａｓｓａ  Ｈｅｍｏｒｒｈａｇｉｃ  Ｆｅｖｅｒ  ｖｉｒｕｓ）、マールブルグウイルス（Ｍａｒｂｕｒｇ  ｖｉｒｕｓ）、エボラウイルス、リフトバレー熱ウイルス、キャサヌール森林病ウイルス、オムスク出血熱、黄熱ウイルス、天然痘ウイルス、レトロウイルス、サル痘ウイルス、および足および口疾患ウイルスを含む）、真菌類試薬（Ｃｏｃｃｉｄｉｏｄｅｓ  ｉｍｍｉｔｉｓ、Ｃａｎｄｉｄａ  ａｌｂｉｃａｎｓ、Ｃｒｙｐｔｏｃｏｃｃｕｓ  ｎｅｏｆｏｒｍａｎｓ、Ｈｉｓｔｏｐｌａｓｍａ  ｃａｐｓｕｌａｔｕｍ、Ｂｌａｓｔｏｍｙｃｅｓ  ｄｅｒｍａｔｉｔｉｄｉｓ、Ｓｐｏｒｏｔｒｈｉｘ  ｓｃｈｅｎｋｉ、またはＡｓｐｅｒｇｉｌｌｕｓ  ｆｕｍｉｇａｔｅｓを含む）、寄生試薬（
【０１１８】
【化２】
0005791634.tif 000003
【０１１９】
を含む）、または、抗生物質抵抗性遺伝子、毒性または毒素産生能に関連する遺伝子、分子マーカー、一塩基多形、昆虫遺伝子、蜂疾患試薬遺伝子、植物遺伝子、植物疾患試薬、病原性または発癌性条件を有する細胞に関連する分子マーカー、ミトコンドリアヌクレオチド配列、プラスミド配列、メッセンジャーＲＮＡ、リボソームＲＮＡ、または興味深いまたは有用になり得る標的核酸のパネル等、を含む遺伝子または配列から選択された感染因子に関連する標的核酸（ＤＮＡまたはＲＮＡのいずれか）のための分子アッセイに用いることができる。また、家畜、獣医および水産養殖用途を広く含んで、哺乳動物または脊椎動物中の感染因子の分子診断に有用になり得る。また、より一般的に病原性状態、例えば感染性他の条件から患う植物、動物または昆虫における診断用途、また、本発明の特徴を有するカートリッジ装置を用いる免疫学的および生物化学的アッセイが考えられ、診断使用に特許請求される。
【０１２０】
上述は本発明の好ましい実施形態の説明であるが、様々な代替、修正、組み合わせ、および等価のものを用いることが可能である。したがって、本発明の範囲は上述の説明を参照して決定すべきではなく、その全範囲および等価のものと一緒に、付属の請求項を参照して決定すべきである。付属の請求項は、制限が、「のための手段」の句を用いて所定の請求項に明確に記載されない限り、手段＋機能の制限を含むものとは解釈されない。
【０１２１】
この明細書に参照され、および／または付属する提出物に記載された、米国特許、米国特許出願公開、米国特許出願、外国特許、外国特許出願および非特許文献および刊行物は、その全体を参照して本願に援用される。さらに他の実施形態を提供するために、様々な特許、出願および刊行物の概念を用いることが必要な場合、実施形態の態様を修正することができる。上記詳細な説明に照らして実施形態にこれらの、および他の変更を加えることができる。一般に、以下の請求項において、用いられる用語は明細書および請求項に開示された特定の実施形態に請求項を制限するものと解釈すべきではなく、それらの請求項が権利を与えられた全範囲の等価の物と一緒に、全ての可能な実施形態を含むものと解釈すべきである。したがって、請求項は本開示の特定事項によって制限されない。
【図１Ａ】
0005791634.tif 000004
【図１Ｂ】
0005791634.tif 000005
【図２】
0005791634.tif 000006
【図３Ａ】
0005791634.tif 000007
【図３Ｂ】
0005791634.tif 000008
【図４】
0005791634.tif 000009
【図５】
0005791634.tif 000010
【図６Ａ】
0005791634.tif 000011
【図６Ｂ】
0005791634.tif 000012
【図６Ｃ】
0005791634.tif 000013
【図６Ｄ】
0005791634.tif 000014
【図６Ｅ】
0005791634.tif 000015
【図６Ｆ】
0005791634.tif 000016
【図６Ｇ】
0005791634.tif 000017
【図７Ａ】
0005791634.tif 000018
【図７Ｂ】
0005791634.tif 000019
【図８Ａ】
0005791634.tif 000020
【図８Ｂ】
0005791634.tif 000021
【図８Ｃ】
0005791634.tif 000022
【図８Ｄ】
0005791634.tif 000023
【図９】
0005791634.tif 000024
【図１０Ａ】
0005791634.tif 000025
【図１０Ｂ】
0005791634.tif 000026
【図１０Ｃ】
0005791634.tif 000027
【図１０Ｄ】
0005791634.tif 000028
【図１０Ｅ】
0005791634.tif 000029
【図１０Ｆ】
0005791634.tif 000030
【図１０Ｇ】
0005791634.tif 000031
【図１１】
0005791634.tif 000032
【図１３】
0005791634.tif 000033
【図１４Ａ】
0005791634.tif 000034
【図１４Ｂ】
0005791634.tif 000035
【図１４Ｃ】
0005791634.tif 000036
【図１４Ｄ】
0005791634.tif 000037
【図１４Ｅ】
0005791634.tif 000038
【図１５】
0005791634.tif 000039
【図１６】
0005791634.tif 000040
【図１７】
0005791634.tif 000041
【図１８】
0005791634.tif 000042
【図１９】
0005791634.tif 000043
【図１２】
0005791634.tif 000044